(57)【特許請求の範囲】
【請求項１】
遊技機に対応して設けられ、遊技媒体の貸与に使用される遊技用価値の大きさを特定可能な遊技用価値情報が記録された遊技用記録媒体の該遊技用価値情報から特定される遊技用価値を使用して遊技媒体を貸与するための貸与処理を行う貸与処理手段を備える遊技用装置であって、
１回の前記貸与処理において使用される遊技用価値の大きさである単位遊技用価値の大きさを、予め設定されている複数の単位遊技用価値の大きさのうちから選択するための選択操作を遊技者より受付ける単位遊技用価値選択手段と、
前記遊技媒体の貸与単価と消費税率と前記単位遊技用価値選択手段において選択可能とする各単位遊技用価値の大きさを受付ける設定内容受付け手段と、
前記受付け手段にて受付けた各単位遊技用価値の大きさについて、前記貸与単価に前記消費税率を乗じた金額を該貸与単価に加算した税込み貸与単価にて、各単位遊技用価値の大きさが相当する金額を除することで得られる値の小数点以下を繰り上げた繰上げ玉数と小数点以下を切捨てた切捨て玉数のそれぞれに前記税込み貸与単価を乗じた金額と、当該単位遊技用価値の大きさが相当する金額との差額に基づいて特定される遊技者或いは遊技場の負担額が、より少ない負担額となる前記繰上げ玉数または前記切捨て玉数のいずれかを、該単位遊技用価値の大きさに対応する貸出遊技媒体数として算出する算出手段と、
前記受付け手段にて受付けた各単位遊技用価値の大きさと、前記算出手段にて算出された各単位遊技用価値の大きさに対応する前記貸出遊技媒体数を設定する設定手段と、
を備え、
前記貸与処理手段は、前記単位遊技用価値選択手段にて遊技者により選択されている単位遊技用価値の大きさに対して前記設定手段において設定されている数の貸出遊技媒体を貸与するための貸与処理を行うことを特徴とする遊技用装置。
【請求項２】
遊技機に対応して設けられ、
貨幣を受付けて、該受付けた貨幣の真贋と貨幣種別とを識別する貨幣識別手段と、
該貨幣識別手段にて貨幣を受付けたときに、該貨幣識別手段にて識別された識別金額を使用して遊技媒体を貸与するための貸与処理を行う貸与処理手段と、
を備える遊技用装置であって、
前記遊技媒体の貸与単価と消費税率と前記貸出処理に使用可能とする各識別金額とを受付ける設定内容受付け手段と、
前記受付け手段にて受付けた各識別金額について、前記貸与単価に前記消費税率を乗じた金額を該貸与単価に加算した税込み貸与単価にて、各識別金額を除することで得られる値の小数点以下を繰り上げた繰上げ玉数と小数点以下を切捨てた切捨て玉数のそれぞれに前記税込み貸与単価を乗じた金額と、当該識別金額との差額に基づいて特定される遊技者或いは遊技場の負担額が、より少ない負担額となる前記繰上げ玉数または前記切捨て玉数のいずれかを、該識別金額に対応する貸出遊技媒体数として算出する算出手段と、
前記受付け手段にて受付けた各識別金額と、前記算出手段にて算出された各識別金額に対応する前記貸出遊技媒体数を設定する設定手段と、
を備え、
前記貸与処理手段は、前記貨幣識別手段に受付けた貨幣の識別金額に基づいて、当該識別金額に対して前記設定手段において設定されている数の貸出遊技媒体を貸与するための貸与処理を行うことを特徴とする遊技用装置。
【請求項３】
前記貸与処理において貸与した貸出遊技媒体数を計数するための計数手段と、
前記貸与処理中における不具合の発生を検出する検出手段と、
該検出手段により不具合の発生が検出されたときに、前記計数手段により計数した貸与した貸出遊技媒体数と当該貸与処理において貸与されるべき貸出遊技媒体数とから未貸与の遊技媒体数を特定し、該特定した未貸与の遊技媒体数を表示する未貸与数表示手段と、
を備えることを特徴とする請求項１または２に記載の遊技用装置。
【請求項４】
前記貸与処理に供される前記単位遊技用価値の大きさまたは前記識別金額を特定可能な売上情報を、各遊技用装置における売上を管理する管理装置に送信する売上情報送信手段と、
前記貸与処理に供される前記単位遊技用価値の大きさまたは前記識別金額を売上として集計して記憶する売上集計記憶手段と、
前記売上情報送信手段から送信される売上情報に基づいて前記管理装置にて管理されている当該遊技用装置の売上を、該管理装置から受信することに応じて、該受信した売上と、前記売上集計記憶手段に記憶されている売上とを比較照合し、当該照合結果を該管理装置に送信する照合処理手段と、
を備えることを特徴とする請求項１〜３のいずれかに記載の遊技用装置。
【請求項５】
前記算出手段にて算出された各貸出遊技媒体数について、負担額並びに負担者を各単位遊技用価値の大きさ毎または各識別金額毎に表示する表示手段を備えることを特徴とする請求項１〜４のいずれかに記載の遊技用装置。
【請求項６】
遊技機に対応して設けられ、遊技媒体の貸与に使用される遊技用価値の大きさを特定可能な遊技用価値情報が記録された遊技用記録媒体の該遊技用価値情報から特定される遊技用価値を使用して遊技媒体を貸与するための貸与処理を行う貸与処理手段を備える遊技用装置と、
複数の前記遊技用装置に接続され、各遊技用装置における前記貸与処理に供された遊技用価値の大きさを管理する管理装置と、
から成る遊技用システムであって、
前記遊技用装置は、
１回の前記貸与処理において使用される遊技用価値の大きさである単位遊技用価値の大きさを、予め設定されている複数の単位遊技用価値の大きさのうちから選択するための選択操作を遊技者より受付ける単位遊技用価値選択手段と、
該単位遊技用価値選択手段により選択ができる複数の単位遊技用価値の大きさと、該単位遊技用価値の大きさの各々に対して、前記貸与処理において貸与される貸出遊技媒体数を設定する設定手段と、
を備え、
前記貸与処理手段は、前記単位遊技用価値選択手段にて遊技者により選択されている単位遊技用価値の大きさに対して前記設定手段において設定されている数の貸出遊技媒体を貸与するための貸与処理を行い、
前記遊技用装置は、該貸与処理に供される単位遊技用価値の大きさを特定可能な売上情報を前記管理装置に送信する売上情報送信手段を備え、
前記管理装置は、
前記遊技媒体の貸与単価と消費税率と前記単位遊技用価値選択手段において選択可能とする各単位遊技用価値の大きさを受付ける設定内容受付け手段と、
前記受付け手段にて受付けた各単位遊技用価値の大きさについて、前記貸与単価に前記消費税率を乗じた金額を該貸与単価に加算した税込み貸与単価にて、各単位遊技用価値の大きさが相当する金額を除することで得られる値の小数点以下を繰り上げた繰上げ玉数と小数点以下を切捨てた切捨て玉数のそれぞれに前記税込み貸与単価を乗じた金額と、当該単位遊技用価値の大きさが相当する金額との差額に基づいて特定される遊技者或いは遊技場の負担額が、より少ない負担額となる前記繰上げ玉数または前記切捨て玉数のいずれかを、該単位遊技用価値の大きさに対応する貸出遊技媒体数として算出する算出手段と、
前記受付け手段にて受付けた遊技媒体の貸与単価および消費税率を特定可能な情報を記憶する単価情報記憶手段と、
前記受付け手段にて受付けた各単位遊技用価値の大きさと、前記算出手段にて算出された各単位遊技用価値の大きさに対応する前記貸出遊技媒体数を記憶する遊技媒体数記憶手段と、
前記受付け手段にて受付けた各単位遊技用価値の大きさと、前記算出手段にて算出された各単位遊技用価値の大きさに対応する前記貸出遊技媒体数とを前記遊技用装置に配信する設定内容配信手段と、
を備え、
前記売上情報送信手段から送信される売上情報から特定される単位遊技用価値の大きさに対して前記遊技媒体数記憶手段に記憶されている貸出遊技媒体数と、前記単価情報記憶手段に記憶されている遊技媒体の単価および消費税率を特定可能な情報とに基づいて、消費税を含まない売上額と、消費税額とを別々に集計し、
前記設定手段は、前記設定内容配信手段から配信されてくる各単位遊技用価値の大きさと、各単位遊技用価値の大きさに対応する前記貸出遊技媒体数を設定する、
ことを特徴とする遊技用システム。
【請求項７】
遊技機に対応して設けられ、
貨幣を受付けて、該受付けた貨幣の真贋と貨幣種別とを識別する貨幣識別手段と、
該貨幣識別手段にて貨幣を受付けたときに、該貨幣識別手段にて識別された識別金額を使用して遊技媒体を貸与するための貸与処理を行う貸与処理手段と、
を備える遊技用装置と、
複数の前記遊技用装置に接続され、各遊技用装置における前記貸与処理に供された識別金額を管理する管理装置と、
から成る遊技用システムであって、
前記遊技用装置は、前記貨幣識別手段にて識別される複数の識別金額と、該識別金額の各々に対して、前記貸与処理において貸与される貸出遊技媒体数を設定する設定手段を備え、
前記貸与処理手段は、前記貨幣識別手段に受付けた貨幣の識別金額に基づいて、当該識別金額に対して前記設定手段において設定されている数の遊技媒体を貸与するための貸与処理を行い、
前記遊技用装置は、該貸与処理に供される識別金額を特定可能な売上情報を前記管理装置に送信する売上情報送信手段を備え、
前記管理装置は、
前記遊技媒体の貸与単価と消費税率と前記貸出処理に使用可能とする各識別金額とを受付ける設定内容受付け手段と、
前記受付け手段にて受付けた各識別金額について、前記貸与単価に前記消費税率を乗じた金額を該貸与単価に加算した税込み貸与単価にて、各識別金額を除することで得られる値の小数点以下を繰り上げた繰上げ玉数と小数点以下を切捨てた切捨て玉数のそれぞれに前記税込み貸与単価を乗じた金額と、当該識別金額との差額に基づいて特定される遊技者或いは遊技場の負担額が、より少ない負担額となる前記繰上げ玉数または前記切捨て玉数のいずれかを、該識別金額に対応する貸出遊技媒体数として算出する算出手段と、
前記受付け手段にて受付けた遊技媒体の貸与単価および消費税率を特定可能な情報を記憶する単価情報記憶手段と、
前記受付け手段にて受付けた各識別金額と、前記算出手段にて算出された各識別金額に対応する前記貸出遊技媒体数を記憶する遊技媒体数記憶手段と、
前記受付け手段にて受付けた各識別金額と、前記算出手段にて算出された各識別金額に対応する前記貸出遊技媒体数とを前記遊技用装置に配信する設定内容配信手段と、
を備え、
前記売上情報送信手段から送信される売上情報から特定される識別金額に対して前記遊技媒体数記憶手段に記憶されている貸出遊技媒体数と、前記単価情報記憶手段に記憶されている遊技媒体の単価および消費税率を特定可能な情報とに基づいて、消費税を含まない売上額と、消費税額とを別々に集計し、
前記設定手段は、前記設定内容配信手段から配信されてくる各識別金額と、各識別金額に対応する前記貸出遊技媒体数を設定する、
ことを特徴とする遊技用システム。
【請求項８】
前記管理装置は、前記売上情報送信手段から送信される売上情報から特定される単位遊技用価値の大きさまたは識別金額に対して前記遊技媒体数記憶手段に記憶されている貸出遊技媒体数および／または前記単価情報記憶手段に記憶されている遊技媒体の単価および消費税率を特定可能な情報とに基づいて、前記繰上げ玉数に前記税込み貸与単価を乗じた金額との差額による遊技場の負担額と、前記切捨て玉数に前記税込み貸与単価を乗じた金額との差額による遊技者の負担額とを個別に集計することを特徴とする請求項６または７に記載の遊技用システム。
【請求項９】
前記遊技用装置は、
前記貸与処理において貸与した貸出遊技媒体数を計数するための計数手段と、
貸与処理中における不具合の発生を検出する検出手段と、
該検出手段により不具合の発生が検出されたときに前記計数手段により計数した貸与した貸出遊技媒体数と当該貸与処理において貸与されるべき貸出遊技媒体数とから未貸与の遊技媒体数を特定し、該特定した未貸与の遊技媒体数を特定可能な未貸与数情報を前記管理装置に送信する未貸与数情報送信手段と、
他の遊技用装置と交換されたことに基づいて交換された旨を含む交換情報を前記管理装置に送信する交換情報送信手段と、
を備え、
前記管理装置は、前記交換情報の受信に基づいて、交換前の遊技用装置の前記未貸与数情報送信手段から送信された未貸与数情報から特定される未貸与の遊技媒体数を特定可能な情報を含み、該未貸与の遊技媒体の貸与を指示する貸与指示を、該交換情報を送信してきた交換後の遊技用装置に対して送信し、
交換後の遊技用装置の前記貸与処理手段は、該受信した貸与指示の受信に応じて該貸与指示に含まれる情報から特定される数の未貸与の遊技媒体を貸与するための未貸与分貸与処理を実施することを特徴とする請求項６〜８のいずれかに記載の遊技用システム。
【請求項１０】
前記算出手段にて算出された各貸出遊技媒体数について、負担額並びに負担者を各単位遊技用価値の大きさ毎または各識別金額毎に表示する表示手段を備えることを特徴とする請求項６〜９のいずれかに記載の遊技用システム。
【発明の詳細な説明】
【技術分野】
【０００１】
本発明は、遊技場に設置された遊技機に対応して設けられ、該遊技機において遊技を実施するための遊技用媒体を貸与するための遊技用装置、および該遊技用装置並びに該遊技用装置を管理する管理装置とから成る遊技用システムに関する。
【背景技術】
【０００２】
従来、遊技場においては、消費税を徴収するために大規模なシステム変更等を必要とすることや、徴収するための労力が多大となることにより、消費税等を消費者である遊技者に代わって、遊技場側が負担する形式が取られてきている。
【０００３】
しかしながら、これら消費税の負担が、消費税率の上昇に伴い、遊技場の大きな負担となってきていることから、近年にあっては、これら消費税に対応するために、遊技機において遊技を実施するための遊技用媒体となるパチンコ玉の貸出玉数を、貸出単位となる１００円に対して設定できるものが提案されている（例えば、特許文献１参照）。
【０００４】
【特許文献１】特開２００２−２９２１００号公報（第４頁、第３図）
【発明の開示】
【発明が解決しようとする課題】
【０００５】
しかしながら、特許文献１の装置にあっては、貸出数設定スイッチにてセットされた貸球の１００単位の払出個数に基づいて、対応する遊技機の貸球払出カウンタへ該１００単位の払出個数が繰返しセットされて遊技機にてパチンコ玉の貸出が実施されるので、例えば１００円に対して２４球を払出個数として設定した場合には、５００円の貸出を実施すると、貸球払出カウンタへ１００円に相当する２４球の貸出個数が５回セットされることで、２４球×５＝１２０球が払い出され、このように、１００円に対して２４球を払い出す場合には、１球の貸出単価が４円で、消費税率が５％である場合には、消費税は１球あたり２０銭となり、消費税を含む消費金額は、２４球×４．2円で１００．８円となり、０．８円を遊技場が負担することとなり、５００円の払出では、０．８円の５倍の４円もの負担を遊技場側がしなくてはならず、遊技場側の負担が大きなものとなってしまい、逆に、１００円に対して２３球を払い出す場合には、消費税を含む消費金額は、２３球×４．2円で９６．６円となり、３．４円を遊技者が負担することとなり、５００円の払出では、３．４円の５倍の１７円もの負担を遊技者側がしなくてはならず、遊技者の負担が大きなものとなってしまうという問題があった。
【０００６】
本発明は、このような問題点に着目してなされたもので、これら消費税の徴収を実施する場合の遊技媒体の貸出において、遊技場の負担或いは遊技者の負担を低減することのできる遊技用装置および遊技用システムを提供することを目的とする。
【課題を解決するための手段】
【０００７】
上記課題を解決するために、本発明の請求項１に記載の遊技用装置は、
遊技機に対応して設けられ、遊技媒体の貸与に使用される遊技用価値の大きさを特定可能な遊技用価値情報が記録された遊技用記録媒体の該遊技用価値情報から特定される遊技用価値を使用して遊技媒体を貸与するための貸与処理を行う貸与処理手段を備える遊技用装置であって、
１回の前記貸与処理において使用される遊技用価値の大きさである単位遊技用価値の大きさを、予め設定されている複数の単位遊技用価値の大きさのうちから選択するための選択操作を遊技者より受付ける単位遊技用価値選択手段と、
前記遊技媒体の貸与単価と消費税率と前記単位遊技用価値選択手段において選択可能とする各単位遊技用価値の大きさを受付ける設定内容受付け手段と、
前記受付け手段にて受付けた各単位遊技用価値の大きさについて、前記貸与単価に前記消費税率を乗じた金額を該貸与単価に加算した税込み貸与単価にて、各単位遊技用価値の大きさが相当する金額を除することで得られる値の小数点以下を繰り上げた繰上げ玉数と小数点以下を切捨てた切捨て玉数のそれぞれに前記税込み貸与単価を乗じた金額と、当該単位遊技用価値の大きさが相当する金額との差額に基づいて特定される遊技者或いは遊技場の負担額が、より少ない負担額となる前記繰上げ玉数または前記切捨て玉数のいずれかを、該単位遊技用価値の大きさに対応する貸出遊技媒体数として算出する算出手段と、
前記受付け手段にて受付けた各単位遊技用価値の大きさと、前記算出手段にて算出された各単位遊技用価値の大きさに対応する前記貸出遊技媒体数を設定する設定手段と、
を備え、
前記貸与処理手段は、前記単位遊技用価値選択手段にて遊技者により選択されている単位遊技用価値の大きさに対して前記設定手段において設定されている数の貸出遊技媒体を貸与するための貸与処理を行うことを特徴としている。
この特徴によれば、消費税の徴収を実施する場合の遊技媒体の貸出において、複数の単位遊技用価値と、各単位遊技用価値の大きさの各々に対して貸与する遊技媒体数であって、遊技者或いは遊技場の負担額が少なくなる貸出遊技媒体数を設定できるので、遊技場の負担或いは遊技者の負担を低減することができる。
【０００８】
本発明の請求項２に記載の遊技用装置は、
遊技機に対応して設けられ、
貨幣を受付けて、該受付けた貨幣の真贋と貨幣種別とを識別する貨幣識別手段と、
該貨幣識別手段にて貨幣を受付けたときに、該貨幣識別手段にて識別された識別金額を使用して遊技媒体を貸与するための貸与処理を行う貸与処理手段と、
を備える遊技用装置であって、
前記遊技媒体の貸与単価と消費税率と前記貸出処理に使用可能とする各識別金額とを受付ける設定内容受付け手段と、
前記受付け手段にて受付けた各識別金額について、前記貸与単価に前記消費税率を乗じた金額を該貸与単価に加算した税込み貸与単価にて、各識別金額を除することで得られる値の小数点以下を繰り上げた繰上げ玉数と小数点以下を切捨てた切捨て玉数のそれぞれに前記税込み貸与単価を乗じた金額と、当該識別金額との差額に基づいて特定される遊技者或いは遊技場の負担額が、より少ない負担額となる前記繰上げ玉数または前記切捨て玉数のいずれかを、該識別金額に対応する貸出遊技媒体数として算出する算出手段と、
前記受付け手段にて受付けた各識別金額と、前記算出手段にて算出された各識別金額に対応する前記貸出遊技媒体数を設定する設定手段と、
を備え、
前記貸与処理手段は、前記貨幣識別手段に受付けた貨幣の識別金額に基づいて、当該識別金額に対して前記設定手段において設定されている数の貸出遊技媒体を貸与するための貸与処理を行うことを特徴としている。
この特徴によれば、消費税の徴収を実施する場合の遊技媒体の貸出において、複数の識別金額と、各識別金額の各々に対して貸与する遊技媒体数であって、遊技者或いは遊技場の負担額が少なくなる貸出遊技媒体数を設定できるので、遊技場の負担或いは遊技者の負担を低減することができる。
【００１１】
本発明の請求項３に記載の遊技用装置は、請求項１または２に記載の遊技用装置であって、
前記貸与処理において貸与した貸出遊技媒体数を計数するための計数手段と、
前記貸与処理中における不具合の発生を検出する検出手段と、
該検出手段により不具合の発生が検出されたときに、前記計数手段により計数した貸与した貸出遊技媒体数と当該貸与処理において貸与されるべき貸出遊技媒体数とから未貸与の遊技媒体数を特定し、該特定した未貸与の遊技媒体数を表示する未貸与数表示手段と、
を備えることを特徴としている。
この特徴によれば、遊技媒体の貸与中に不具合が発生しても、未貸与の遊技媒体数を正確に特定できるようになるので、設定された数の遊技媒体の貸与を遊技者に保証することができる。
【００１２】
本発明の請求項４に記載の遊技用装置は、請求項１〜３のいずれかに記載の遊技用装置であって、
前記貸与処理に供される前記単位遊技用価値の大きさまたは前記識別金額を特定可能な売上情報を、各遊技用装置における売上を管理する管理装置に送信する売上情報送信手段と、
前記貸与処理に供される前記単位遊技用価値の大きさまたは前記識別金額を売上として集計して記憶する売上集計記憶手段と、
前記売上情報送信手段から送信される売上情報に基づいて前記管理装置にて管理されている当該遊技用装置の売上を、該管理装置から受信することに応じて、該受信した売上と、前記売上集計記憶手段に記憶されている売上とを比較照合し、当該照合結果を該管理装置に送信する照合処理手段と、
を備えることを特徴としている。
この特徴によれば、管理装置にて管理されている売上と、遊技用装置にて集計して記憶されている売上とが照合されることで、売上の信頼性を確保でき、しかも、遊技用価値の使用毎や貨幣の受付け毎にこれらの照合が実施されないので、遊技媒体の貸出に要する時間も短縮できる。
本発明の請求項５に記載の遊技用装置は、請求項１〜４のいずれかに記載の遊技用装置であって、
前記算出手段にて算出された各貸出遊技媒体数について、負担額並びに負担者を各単位遊技用価値の大きさ毎または各識別金額毎に表示する表示手段を備えることを特徴としている。
この特徴によれば、各貸出遊技媒体数についての負担額並びに負担者が判る。
【００１３】
本発明の請求項６に記載の遊技用システムは、
遊技機に対応して設けられ、遊技媒体の貸与に使用される遊技用価値の大きさを特定可能な遊技用価値情報が記録された遊技用記録媒体の該遊技用価値情報から特定される遊技用価値を使用して遊技媒体を貸与するための貸与処理を行う貸与処理手段を備える遊技用装置と、
複数の前記遊技用装置に接続され、各遊技用装置における前記貸与処理に供された遊技用価値の大きさを管理する管理装置と、
から成る遊技用システムであって、
前記遊技用装置は、
１回の前記貸与処理において使用される遊技用価値の大きさである単位遊技用価値の大きさを、予め設定されている複数の単位遊技用価値の大きさのうちから選択するための選択操作を遊技者より受付ける単位遊技用価値選択手段と、
該単位遊技用価値選択手段により選択ができる複数の単位遊技用価値の大きさと、該単位遊技用価値の大きさの各々に対して、前記貸与処理において貸与される貸出遊技媒体数を設定する設定手段と、
を備え、
前記貸与処理手段は、前記単位遊技用価値選択手段にて遊技者により選択されている単位遊技用価値の大きさに対して前記設定手段において設定されている数の貸出遊技媒体を貸与するための貸与処理を行い、
前記遊技用装置は、該貸与処理に供される単位遊技用価値の大きさを特定可能な売上情報を前記管理装置に送信する売上情報送信手段を備え、
前記管理装置は、
前記遊技媒体の貸与単価と消費税率と前記単位遊技用価値選択手段において選択可能とする各単位遊技用価値の大きさを受付ける設定内容受付け手段と、
前記受付け手段にて受付けた各単位遊技用価値の大きさについて、前記貸与単価に前記消費税率を乗じた金額を該貸与単価に加算した税込み貸与単価にて、各単位遊技用価値の大きさが相当する金額を除することで得られる値の小数点以下を繰り上げた繰上げ玉数と小数点以下を切捨てた切捨て玉数のそれぞれに前記税込み貸与単価を乗じた金額と、当該単位遊技用価値の大きさが相当する金額との差額に基づいて特定される遊技者或いは遊技場の負担額が、より少ない負担額となる前記繰上げ玉数または前記切捨て玉数のいずれかを、該単位遊技用価値の大きさに対応する貸出遊技媒体数として算出する算出手段と、
前記受付け手段にて受付けた遊技媒体の貸与単価および消費税率を特定可能な情報を記憶する単価情報記憶手段と、
前記受付け手段にて受付けた各単位遊技用価値の大きさと、前記算出手段にて算出された各単位遊技用価値の大きさに対応する前記貸出遊技媒体数を記憶する遊技媒体数記憶手段と、
前記受付け手段にて受付けた各単位遊技用価値の大きさと、前記算出手段にて算出された各単位遊技用価値の大きさに対応する前記貸出遊技媒体数とを前記遊技用装置に配信する設定内容配信手段と、
を備え、
前記売上情報送信手段から送信される売上情報から特定される単位遊技用価値の大きさに対して前記遊技媒体数記憶手段に記憶されている貸出遊技媒体数と、前記単価情報記憶手段に記憶されている遊技媒体の単価および消費税率を特定可能な情報とに基づいて、消費税を含まない売上額と、消費税額とを別々に集計し、
前記設定手段は、前記設定内容配信手段から配信されてくる各単位遊技用価値の大きさと、各単位遊技用価値の大きさに対応する前記貸出遊技媒体数を設定する、
ことを特徴としている。
この特徴によれば、消費税の徴収を実施する場合の遊技媒体の貸出において、複数の単位遊技用価値と、各単位遊技用価値の大きさの各々に対して貸与する遊技媒体数であって、遊技者或いは遊技場の負担額が少なくなる貸出遊技媒体数を設定できるので、遊技場の負担或いは遊技者の負担を低減することができるとともに、遊技場が管理装置において正確な売上や消費税額を把握でき、正確な消費税の申告が可能となる。また、各遊技用装置毎に設定内容を設定する場合に比較して、遊技媒体数を設定するための労力を大幅に低減できる。
【００１４】
本発明の請求項７に記載の遊技用システムは、
遊技機に対応して設けられ、
貨幣を受付けて、該受付けた貨幣の真贋と貨幣種別とを識別する貨幣識別手段と、
該貨幣識別手段にて貨幣を受付けたときに、該貨幣識別手段にて識別された識別金額を使用して遊技媒体を貸与するための貸与処理を行う貸与処理手段と、
を備える遊技用装置と、
複数の前記遊技用装置に接続され、各遊技用装置における前記貸与処理に供された識別金額を管理する管理装置と、
から成る遊技用システムであって、
前記遊技用装置は、前記貨幣識別手段にて識別される複数の識別金額と、該識別金額の各々に対して、前記貸与処理において貸与される貸出遊技媒体数を設定する設定手段を備え、
前記貸与処理手段は、前記貨幣識別手段に受付けた貨幣の識別金額に基づいて、当該識別金額に対して前記設定手段において設定されている数の遊技媒体を貸与するための貸与処理を行い、
前記遊技用装置は、該貸与処理に供される識別金額を特定可能な売上情報を前記管理装置に送信する売上情報送信手段を備え、
前記管理装置は、
前記遊技媒体の貸与単価と消費税率と前記貸出処理に使用可能とする各識別金額とを受付ける設定内容受付け手段と、
前記受付け手段にて受付けた各識別金額について、前記貸与単価に前記消費税率を乗じた金額を該貸与単価に加算した税込み貸与単価にて、各識別金額を除することで得られる値の小数点以下を繰り上げた繰上げ玉数と小数点以下を切捨てた切捨て玉数のそれぞれに前記税込み貸与単価を乗じた金額と、当該識別金額との差額に基づいて特定される遊技者或いは遊技場の負担額が、より少ない負担額となる前記繰上げ玉数または前記切捨て玉数のいずれかを、該識別金額に対応する貸出遊技媒体数として算出する算出手段と、
前記受付け手段にて受付けた遊技媒体の貸与単価および消費税率を特定可能な情報を記憶する単価情報記憶手段と、
前記受付け手段にて受付けた各識別金額と、前記算出手段にて算出された各識別金額に対応する前記貸出遊技媒体数を記憶する遊技媒体数記憶手段と、
前記受付け手段にて受付けた各識別金額と、前記算出手段にて算出された各識別金額に対応する前記貸出遊技媒体数とを前記遊技用装置に配信する設定内容配信手段と、
を備え、
前記売上情報送信手段から送信される売上情報から特定される識別金額に対して前記遊技媒体数記憶手段に記憶されている貸出遊技媒体数と、前記単価情報記憶手段に記憶されている遊技媒体の単価および消費税率を特定可能な情報とに基づいて、消費税を含まない売上額と、消費税額とを別々に集計し、
前記設定手段は、前記設定内容配信手段から配信されてくる各識別金額と、各識別金額に対応する前記貸出遊技媒体数を設定する、
ことを特徴としている。
この特徴によれば、消費税の徴収を実施する場合の遊技媒体の貸出において、複数の識別金額と、各識別金額の各々に対して貸与する遊技媒体数であって、遊技者或いは遊技場の負担額が少なくなる貸出遊技媒体数を設定できるとともに、遊技場が管理装置において正確な売上や消費税額を把握でき、正確な消費税の申告が可能となる。また、各遊技用装置毎に設定内容を設定する場合に比較して、遊技媒体数を設定するための労力を大幅に低減できる。
【００１９】
本発明の請求項８に記載の遊技用システムは、請求項６または７のいずれかに記載の遊技用システムであって、
前記管理装置は、前記売上情報送信手段から送信される売上情報から特定される単位遊技用価値の大きさまたは識別金額に対して前記遊技媒体数記憶手段に記憶されている貸出遊技媒体数および／または前記単価情報記憶手段に記憶されている遊技媒体の単価および消費税率を特定可能な情報とに基づいて、前記繰上げ玉数に前記税込み貸与単価を乗じた金額との差額による遊技場の負担額と、前記切捨て玉数に前記税込み貸与単価を乗じた金額との差額による遊技者の負担額とを個別に集計することを特徴としている。
この特徴によれば、遊技場の負担額と遊技者の負担額とを個別に把握できるので、これら負担額を各単位遊技用価値の大きさまたは各識別金額に対して貸与される遊技媒体数の変更検討の参考にすることができる。
【００２０】
本発明の請求項９に記載の遊技用システムは、請求項６〜８のいずれかに記載の遊技用システムであって、
前記遊技用装置は、
前記貸与処理において貸与した貸出遊技媒体数を計数するための計数手段と、
貸与処理中における不具合の発生を検出する検出手段と、
該検出手段により不具合の発生が検出されたときに前記計数手段により計数した貸与した貸出遊技媒体数と当該貸与処理において貸与されるべき貸出遊技媒体数とから未貸与の遊技媒体数を特定し、該特定した未貸与の遊技媒体数を特定可能な未貸与数情報を前記管理装置に送信する未貸与数情報送信手段と、
他の遊技用装置と交換されたことに基づいて交換された旨を含む交換情報を前記管理装置に送信する交換情報送信手段と、
を備え、
前記管理装置は、前記交換情報の受信に基づいて、交換前の遊技用装置の前記未貸与数情報送信手段から送信された未貸与数情報から特定される未貸与の遊技媒体数を特定可能な情報を含み、該未貸与の遊技媒体の貸与を指示する貸与指示を、該交換情報を送信してきた交換後の遊技用装置に対して送信し、
交換後の遊技用装置の前記貸与処理手段は、該受信した貸与指示の受信に応じて該貸与指示に含まれる情報から特定される数の未貸与の遊技媒体を貸与するための未貸与分貸与処理を実施することを特徴としている。
この特徴によれば、遊技媒体の貸与中に不具合が発生しても、未貸与の遊技媒体数を正確に特定できるようになるので、設定された数の遊技媒体の貸与を遊技者に保証することができる。
本発明の請求項１０に記載の遊技用システムは、請求項６〜９のいずれかに記載の遊技用システムであって、
前記算出手段にて算出された各貸出遊技媒体数について、負担額並びに負担者を各単位遊技用価値の大きさ毎または各識別金額毎に表示する表示手段を備えることを特徴としている。
この特徴によれば、各貸出遊技媒体数についての負担額並びに負担者が判る。
【発明を実施するための最良の形態】
【００２１】
本発明の実施例を以下に説明する。尚、以下の実施例においては、遊技機として遊技媒体であるパチンコ玉を使用するパチンコ機を用いた例を示すが、本発明はこれに限定されるものではなく、その他の遊技機、例えばパチンコ玉を使用しても、該パチンコ玉が指触不能に封入された封入式パチンコ機や、遊技媒体としてコイン等を使用するスロットマシンやコインの代わりにパチンコ玉を使用してスロット遊技を行うスロットマシン、更には完全クレジット式のスロットマシン等の遊技機においても適用可能である。
【実施例１】
【００２２】
本実施例１は請求項１および請求項６に対応しており、本実施例１の遊技用装置並びに該遊技用装置を含む遊技用システムを図面に基づいて説明すると、図１は、本実施例１の遊技用システムの構成を示す図であり、本実施例１の遊技用システムは、遊技場において複数配置された図示しない遊技島に並設される遊技機であるカードリーダ式パチンコ機（以下パチンコ機と呼称する）２と、該パチンコ機２に対して１対１に対応設置される本発明の遊技用装置としてのカードユニット３と、遊技場内の所定箇所に設置され、前記カードユニット３にて使用される遊技用記録媒体であるプリペイドカードの発行を行う発行装置２２と、プリペイドカードに残存する度数を現金に精算する精算処理を行う精算装置２３と、前記カードユニット３が不良となった際に、該不良のカードユニット３と交換するための予備のカードユニット３を収納されたカードユニットストッカ２０と、カードユニット３にて使用されるプリペイドカードに残存する度数並びに各カードユニット３における売上となる本日使用度数を各カードユニット３毎に管理するシステムコントローラ１００と、から主に構成されている。
【００２３】
また、本実施例１のシステムコントローラ１００は、通信回線１１を介してカード管理会社に設置された管理サーバ１４０とデータ通信可能に接続されており、システムコントローラ１００の後述するカードマスターテーブルやカードユニット別データテーブルに記憶、管理されている各種情報を含む営業情報が管理サーバ１４０に送信されることで、管理サーバ１４０にて各遊技場において使用されるプリペイドカードや各遊技場の売上が管理される。
【００２４】
また、本実施例のカードユニット３は、対応するパチンコ機２と直接接続されており、カードユニット３と対応する該パチンコ機２との間で、パチンコ玉の貸与（貸出）に関する各種の信号の送受が可能とされているとともに、対応するパチンコ機２から出力された払出玉数の信号が入力されるようになっている（図３参照）。
【００２５】
これら遊技場内に設置されたカードユニット３、システムコントローラ１００、カードユニットストッカ２０内の各カードユニット３、発行装置２２、精算装置２３とは、通信ケーブル８を介して双方向のデータ通信可能に接続され、これら各接続装置にはそれぞれローカルＩＰアドレスが付与されてローカルエリアネットワーク（ＬＡＮ）が形成されていて、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっているとともに、これら各接続装置が接続されるＨＵＢ８’（図３参照）の接続口には、各接続口に固有のＭＡＣ（メディアアクセスコントロール）アドレスが付与されていて、該接続口のＭＡＣアドレスをカードユニット３がＨＵＢ８’から取得できるようにされており、これらＭＡＣアドレスを各接続口に接続された装置がシステムコントローラ１００に送信することで、該ＭＡＣアドレスによりどの接続口にどの装置が接続されているかをシステムコントローラ１００にて把握できるようになっている。
【００２６】
次に、本実施例に用いたプリペイドカードについて簡潔に説明すると、このプリペイドカードには、カードユニット３内に設けられている後述のカードリーダライタ３２７と非接触にてデータ通信を行うことが可能な非接触式ＩＣカードが適用されており、その内部メモリには、各プリペイドカードを個別に識別可能な記録媒体識別情報、並びに遊技媒体であるパチンコ玉の貸与（貸出）に使用される遊技用価値となる度数｛本実施例では金額を１００で除算した値（１００円＝１度数）｝を特定可能な遊技用価値特定情報としてのカードＩＤが書き換え不可に記憶されているとともに、カードリーダライタ３２７とのデータ通信により、パチンコ玉の貸与（貸出）に使用される遊技用価値となる度数や書き換え回数等の情報が書き換え可能に記憶されている。このように、本実施例においては、プリペイドカードにカードＩＤだけではなく、度数自体も記録されているため、このプリペイドカードに記録されている度数も、本発明における遊技用価値特定情報を構成する。
【００２７】
次いで、本実施例１に用いた遊技用装置であるカードユニット３について簡潔に説明すると、このカードユニット３は、前述のように遊技島に並設される遊技機としてのパチンコ機２に１対１に対応して設置されている。
【００２８】
カードユニット３の前面には、図２に示すように、各種表示部や操作ボタン、紙幣挿入口３０２、硬貨投入口３０３、硬貨返却口３１３、カード挿入口３１９が設けられている。
【００２９】
カードユニット３の前面に設けられる表示部のうち、多機能表示部３０１は、内部に設けられた多機能ＬＥＤ３０１ａの発光態様によりカードユニット３の動作状況等が報知される。
【００３０】
また、カードユニット３の前面に設けられた表示部のうち、変更可能表示部３０５は、後述する貸与処理における単位度数（１回の貸出操作で使用される度数の大きさ）の変更が可能である場合に、その内部に設けられた変更可能ＬＥＤ３０５ａ（図３参照）が点灯する。貸出単位表示部３０７は、前述した単位度数が内蔵された貸出単位表示器３０７ａ（図３参照）により表示される表示部であり、度数・未払出玉数表示部３０９は、プリペイドカードから読み出された度数や、未払い出しのパチンコ玉数が内蔵された度数・未払出玉数表示器３０９ａ（図３参照）により表示される表示部である。方向指示表示部３１１は、対応するパチンコ機２の連結方向を示す表示部であり、パチンコ機２と接続されている場合に内部に設けられた方向指示ＬＥＤ３１１ａ（図３参照）が点灯する。挿入中表示部３１２は、プリペイドカードが挿入中である場合に内部に設けられた挿入中ＬＥＤ３１２ａ（図３参照）が点灯する。
【００３１】
尚、本実施例１では、度数・未払出玉数表示部３０９に図８に示すように、受付け中のプリペイドカードに残存する度数（残存度数）が表示されるとともに、対応するパチンコ機２に設けられている図示しない貸出ボタンの押圧操作による貸出操作がなされた場合には、該度数・未払出玉数表示部３０９に、その時点において貸出単位表示部３０７に表示されている単位度数に対して設定されている貸出玉数が、未払出玉数として表示される。
【００３２】
また、カードユニット３の前面に設けられたボタンのうち、硬貨返却ボタン３０４は、硬貨投入口３０３から投入された硬貨が詰まった場合等において、硬貨を硬貨返却口３１３に返却させる際に押圧するボタンである。貸出単位変更ボタン３０６は、単位度数を変更する際に押圧するボタンである。
【００３３】
カード挿入口３１９は、内蔵されるカードリーダライタ３２７（図３参照）のカードスロット（図示略）に連設されており、このカード挿入口３１９を介してプリペイドカードをカードスロットに挿入可能とされている。
【００３４】
図３は、本実施例１のカードユニット３の構成を示すブロック図である。カードユニット３は、プリペイドカードの記憶情報の読み取り並びに書き込みを行うカードリーダライタ３２７と、カードユニット３全体の動作制御を行う制御ユニット３２８とから主に構成されている。
【００３５】
本実施例の制御ユニット３２８には、図３に示すように、制御ユニット３２８が行う後述の各種処理内容が記述された処理プログラムや装置ＩＤ等の情報が記憶されたＲＯＭ３２８ｂや、該ＲＯＭ３２８ｂに記憶されている処理プログラムに基づいて各種の処理やカードユニット３の制御を実施するＭＰＵ３２８ａや、該ＭＰＵ３２８ａの各種処理にワークメモリとして使用されるとともに、システムコントローラ１００から配信される単位度数設定データや一日において貸与処理に供された使用度数の集計データとなる使用度数集計データが記憶されるＲＡＭ３２８ｃが設けられているとともに、ＨＵＢ８’を介してシステムコントローラ１００とのデータ通信を行うための本発明における通信手段となる通信部３３４が設けられていて、該通信部３３４を介してカードリーダライタ３２７に挿入されたプリペイドカードに記憶されたカードＩＤや度数による認証等がシステムコントローラ１００との間で行われる。
【００３６】
また、制御ユニット３２８には外部Ｉ／Ｏポート３３５が設けられており、該外部Ｉ／Ｏポート３３５を介して対応するパチンコ機２と接続されており、該パチンコ機２との間において、貸与処理において貸与（貸出）するパチンコ玉数に相当する信号（パルス）の出力や、該パチンコ機２から貸し出されたパチンコ玉数に相当する信号（パルス）の入力が可能とされている。
【００３７】
また、制御ユニット３２８には、前述した各種ＬＥＤや表示器、スイッチ等の各種電気部品や本発明における貨幣識別手段となる紙幣識別ユニット３２２、硬貨識別ユニット３２４、が接続されている。尚、制御ユニット３２８に接続された貸出単位変更スイッチ３０６ａは、貸出単位変更ボタン３０６の操作を検知するスイッチである。
【００３８】
また、制御ユニット３２８には、特に図示しないが、接続された対応するパチンコ機２に設けられる貸出ボタン（パチンコ玉の貸出を行う際に操作されるボタン）や返却ボタン（受付け中のプリペイドカードを返却させる際に操作されるボタン）の操作を検知する貸出スイッチや返却スイッチが接続されている。
【００３９】
制御ユニット３２８に接続された紙幣識別ユニット３２２は、紙幣挿入口３０２に投入された紙幣を取り込んでその真贋や紙幣種別の識別を行う。また、硬貨識別ユニット３２４は、硬貨投入口３０３より投入された硬貨の真贋並びに硬貨種別の識別を行う。
【００４０】
制御ユニット３２８に接続された各種ＬＥＤや表示器は、制御ユニット３２８により制御される。また、制御ユニット３２８は、各種スイッチの検出信号や、紙幣識別ユニット３２２や硬貨識別ユニット３２４による識別信号を受けて各種の制御を行う。
【００４１】
具体的に本実施例１のカードユニット３の制御ユニット３２８は、貸出単位変更ボタン３０６が遊技者に操作されたことに基づいて、図７に示すように、ＲＡＭ３２８ｃに記憶されている単位度数設定データに設定されている各単位度数である貸出単位、具体的に本実施例１では、後述するように単位度数として１度数、３度数、５度数、１０度数が単位度数として設定されていることからこれら各単位度数を、貸出単位変更ボタン３０６が操作される毎に順次、貸出単位表示部３０７に表示して、本発明における単位遊技用価値の大きさである単位度数の選択操作を遊技者より受付ける単位度数受付け処理を実施し、該単位度数受付け処理によって本発明における単位遊技用価値選択手段が形成されている。
【００４２】
また、本実施例１の制御ユニット３２８は、システムコントローラ１００から送信される、前記単位度数受付け処理において遊技者が選択できる複数の単位度数の各々に対して、後述する貸与処理において貸与される貸出玉数を含む後述する単位度数設定データの受信に基づいて、該受信した単位度数設定データをＲＡＭ３２８ｃに更新記憶することで設定する単位度数設定データ記憶処理を実施し、該単位度数設定データ記憶処理によって本発明における設定手段が形成されている。
【００４３】
また、本実施例１の制御ユニット３２８は、カード挿入口３１９に挿入されたプリペイドカードの使用の可／不可を判別する受付処理と、この受付処理において使用可と判定されたプリペイドカードより読み出された度数（カードＩＤから特定される度数と同一）を使用して、対応するパチンコ機２に対してパチンコ玉の貸与（貸出）を実施させる貸与処理を実施し、該貸与処理によって本発明における貸与処理手段が形成されている。
【００４４】
そして、この貸与処理においては、前記単位度数受付け処理にて遊技者により選択されている貸出単位である単位度数に対して、前記単位度数設定データにて設定されている数のパチンコ玉を貸与する。
【００４５】
また、本実施例１の制御ユニット３２８は、プリペイドカードが受付中でかつ残存する度数が所定の度数（本実施例では１０度数）以下の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、カードリーダライタ３２７に受付けているプリペイドカードより読み出されたカードＩＤ並びに度数より特定される度数に加算する入金処理を実施する。
【００４６】
また、本実施例１の制御ユニット３２８は、接続されているパチンコ機２から１球のパチンコ玉の払出毎に外部Ｉ／Ｏポート３３５へ出力される信号（パルス）を計数することで、実際に遊技者に貸与（貸出）したパチンコ玉数を計数し、該計数した玉数を１玉づつ、図８に示すように、度数・未払出玉数表示部３０９に表示されている当該貸与処理において供された貸出単位である単位度数に対して設定されているパチンコ玉数から減算更新する払出玉数計数処理を実施し、該払出玉数計数処理によって本発明における計数手段が形成されている。
【００４７】
また、本実施例１の制御ユニット３２８は、前記度数・未払出玉数表示部３０９に表示されている未払出玉数が存在するときに、図８に示すように、前記外部Ｉ／Ｏポート３３５に接続されているパチンコ機２からパチンコ玉の払出に伴う信号（パルス）の入力無いことにより、所定の時間において未払出玉数が更新されないことに基づいて貸与処理中における不具合の発生を検出する不具合検出処理を実施し、該不具合検出処理によって本発明における検出手段が形成されている。尚、本実施例では、これら不具合検出処理における不具合検出時に、前記度数・未払出玉数表示部３０９には自動的に未払出玉数が表示されていることになり、つまり、前記払出玉数計数処理によって本発明における未貸与数表示手段が形成されている。
【００４８】
また、本実施例１の制御ユニット３２８は、前記不具合検出処理によって不具合が検出されたときに、当該貸与処理において貸与（貸出）されるべきパチンコ玉数（貸出玉数）と実際に貸与（貸出）したパチンコ玉数とから特定される未貸与のパチンコ玉数、つまりは不具合が検出されたときに度数・未払出玉数表示部３０９に表示されているパチンコ玉数を未払出玉数として特定し、該特定した未払出玉数と装置ＩＤ、当該貸与処理に供された単位度数である使用度数、受付け中のプリペイドカードから読み出したカードＩＤとを含む本発明における未貸与数情報となる貸出不全情報をシステムコントローラ１００に送信する貸出不全情報送信処理を実施し、該貸出不全情報送信処理によって本発明における未貸与数情報送信手段が形成されている。
【００４９】
また、本実施例１の制御ユニット３２８は、前記度数・未払出玉数表示部３０９に表示されている未払出玉数が０、つまりは全てのパチンコ玉の払出が完了したことに基づいて、該貸与処理に供された単位度数を、前記ＲＡＭ３２８ｃに記憶されている使用度数集計データに加算更新記憶することで当該カードユニット３におけるその当日の売上を集計記憶する使用度数集計記憶処理を実施し、該使用度数集計記憶処理によって本発明における売上集計記憶手段が形成されている。
【００５０】
また、本実施例１の制御ユニット３２８は、貸与処理において全てのパチンコ玉の払出が完了したことに基づいて、該貸与処理に供された単位度数である使用度数と、受付け中のプリペイドカードから読み出したカードＩＤと、当該カードユニット３の装置ＩＤとを含む貸出完了情報を、システムコントローラ１００に対して送信する貸出完了情報送信処理を実施し、該貸出完了情報送信処理によって本発明における売上情報送信手段が形成されている（図９参照）。
【００５１】
また、本実施例１の制御ユニット３２８は、所定時間毎にシステムコントローラ１００から送信されてくる照合要求の受信に応じて、該照合要求に含まれるシステムコントローラ１００にて管理されている当該カードユニット３における売上である後述する本日使用度数と、前記使用度数集計記憶処理によって使用度数集計データに集計記憶されている当該カードユニット３における売上となる使用度数とを比較照合し、当該照合結果をシステムコントローラ１００に送信する照合処理を実施し、該照合処理によって本発明における照合処理手段が形成されている。
【００５２】
また、本実施例１の制御ユニット３２８は、不具合を生じたカードユニット３と交換するためにカードユニットストッカ２０から取り出されて設置された際に、貸出単位変更ボタン３０６が押圧操作された状態にて起動されることにより、交換により設置されたものと判断し、ＬＡＮへの接続口となるＨＵＢ８’の接続口のＭＡＣアドレスをＨＵＢ８’から取得し、該取得したＭＡＣアドレスと装置ＩＤと交換された旨とを含む交換情報をシステムコントローラ１００に送信する交換情報送信処理を実施し、該交換情報送信処理によって本発明における交換情報送信手段が形成されている（図９参照）。
【００５３】
また、本実施例１の制御ユニット３２８は、交換情報送信処理における交換情報の送信に応じてシステムコントローラ１００から返信される払出指示に受信に応じて、該払出指示に含まれる未払い出し玉数の払出を、対応するパチンコ機２から実施させる未貸与分貸与処理を、前記貸与処理と同様に実施する（図９参照）。
【００５４】
次いで、本実施例１に用いたシステムコントローラ１００について説明すると、該システムコントローラ１００は、図４に示すように、コンピュータ内部にてデータの送受を行うデータバス１１２に、該システムコントローラ１００が実施する各種処理を行う中央演算処理装置（ＣＰＵ）１１３、ＲＡＭ１０８、時刻情報やカレンダ情報を出力するリアルタイムクロック１１４、表示装置１０７、キーボードやマウス等の入力装置１１０、プリンタ１０４、磁気ディスクや光磁気ディスクから成り、後述する単位度数テーブル（図６（ａ）参照）やカードマスターテーブル（図６（ｂ）参照）やカードユニット別データテーブル（図６（ｃ）参照）等を記憶するための記憶装置１０９、各カードユニット３やカードユニットストッカ２０、発行装置２２、精算装置２３とのデータ通信を行うための第１の通信インターフェィス１０６、カード管理会社に設置されている前記管理サーバ１４０との通信を実施するための第２の通信インターフェィス１０５が接続された通常のコンピュータである。
【００５５】
また、記憶装置１０９には、該システムコントローラ１００が各種処理を実施するための処理プログラムに加えて、後述する貸出玉数設定画面にて受付けた玉単価や消費税率や単位度数となる貸出単位や貸出玉数等の内容が記憶される図６（ａ）に示す単位度数テーブルや、当該遊技場にて発行されたプリペイドカードに残存する残存度数を管理するための図６（ｂ）に示すカードマスターテーブルや、各カードユニット３の売上となる本日使用度数等の各種情報が記憶される図６（ｃ）に示すカードユニット別データテーブルが記憶されている。
【００５６】
本実施例１の単位度数テーブルは、図６（ａ）に示すように、図５に示す貸出玉数設定画面にて受付けた各単位度数に対応付けて、当該単位度数にて遊技者に貸与（貸出）するパチンコ玉の玉数である貸出玉数と、当該貸出玉数を貸与した場合に生じる過不足金額を負担する負担者、具体的には遊技場（ホール）または遊技者のいずれかと、その負担額とが記憶されているとともに、該貸出玉数設定画面にて受付けたパチンコ玉の玉単価（本実施例では４円）並びに消費税率（本実施例では５％）とが記憶されている。
【００５７】
本実施例１のカードマスターテーブルは、図６（ｂ）に示すように、各プリペイドカードに記録されているカードＩＤに対応付けて、当該プリペイドカードに残存する度数が記憶されており、このようにすることで、カードＩＤによって当該カードＩＤが記録されたプリペイドカードに残存している遊技用価値の大きさとなる度数を特定できるようになっている。
【００５８】
本実施例１のカードユニット別データテーブルは、図６（ｃ）に示すように、各カードユニット３に固有に付与された装置ＩＤに対応付けて、当該カードユニット３が設置されている遊技島の島番号が記憶される設置島の項目と、対応する台の台番号が記憶される対応台番号の項目と、通信状態（オンラインかオフラインか）が記憶される状況の項目と、該カードユニット３が接続されているＨＵＢ８’の接続口のＭＡＣアドレスが記憶されるＭＡＣアドレスの項目と、該カードユニット３から送信される貸出完了情報に含まれる使用度数が加算記憶される本日使用度数の項目と、該本日使用度数に相当する売上金額の内の消費税を含まない売上額が加算記憶される税なし売上の項目と、本日使用度数に相当する売上金額の内の消費税額が加算記憶される消費税額の項目と、１玉未満の過不足金額うち遊技場（ホール）が負担している負担額が加算記憶されるホール負担額の項目と、１玉未満の過不足金額うち遊技者が負担している負担額が加算記憶される遊技者負担額の項目とが設けられており、これらの各項目の情報が各カードユニット３に固有に付与された装置ＩＤに対応付けて記憶されることで、システムコントローラ１００において各カードユニット３の売上である本日使用度数等の各情報が個別に管理されている。
【００５９】
尚、本実施例１のカードユニット別データテーブルにあっては、本日使用度数の項目と、税なし売上の項目、消費税額の項目、ホール負担額の項目、遊技者負担額の項目において合計が算出されることで、遊技場全体の本日使用度数や、遊技場全体の税なし売上や、遊技場全体の消費税額や、遊技場全体でのホール負担額や、遊技場全体での遊技者負担額が個々に集計されるようになっている。尚、カードユニット別データテーブルの本日使用度数の項目と、税なし売上の項目、消費税額の項目、ホール負担額の項目、遊技者負担額の項目のデータは、１日に一度、システムコントローラ１００の起動処理においてリセットされてカードユニット別データテーブルが更新される。
【００６０】
また、本実施例１のシステムコントローラ１００のＣＰＵ１１３は、所定の操作に基づいて、表示装置１０７に、図５に示す貸出玉数設定画面を表示して、遊技媒体であるパチンコ玉の単価である玉単価と消費税率とともに、複数の単位度数（貸出単位）と、これら複数の単位度数の各々に対して設定される貸出玉数と、当該貸出玉数の貸与（貸出）によって生じる過不足金額を負担する負担者とその負担額とを受付ける貸出玉数設定内容受付け処理を実施し、該貸出玉数設定内容受付け処理によって本発明における設定内容受付け手段が形成されている。
【００６１】
また、本実施例１のシステムコントローラ１００のＣＰＵ１１３は、前記貸出玉数設定内容受付け処理によって図５に示す貸出玉数設定画面にて受付けた遊技媒体の単価である玉単価と、消費税率とを、前記単位度数テーブルに記憶する単価情報記憶処理を実施し、該単価情報記憶処理によって本発明における単価情報記憶手段が形成されている。
【００６２】
また、本実施例１のシステムコントローラ１００のＣＰＵ１１３は、前記貸出玉数設定内容受付け処理における図５に示す貸出玉数設定画面にて受付けられることで、各カードユニット３にて設定されることとなる複数の単位度数と、該複数の単位度数の各々に対する貸出玉数並びに負担者とその負担額とを、単位度数テーブルに記憶する貸出玉数記憶処理を実施し、該貸出玉数記憶処理によって本発明における遊技媒体数記憶手段が形成されている。
【００６３】
また、本実施例１のシステムコントローラ１００のＣＰＵ１１３は、前記貸出玉数設定内容受付け処理によって図５に示す貸出玉数設定画面にて受付けられて、前記貸出玉数記憶処理によって単位度数テーブルに記憶されている記憶内容、具体的には、各単位度数と各単位度数に対応する貸出玉数とを単位度数設定データとして各カードユニット３に配信する単位度数設定データ配信処理を実施し、該単位度数設定データ配信処理によって本発明における設定内容配信手段が形成されている。
【００６４】
また、本実施例１のシステムコントローラ１００のＣＰＵ１１３は、前記制御ユニット３２８が実施する貸出不全情報送信処理によって送信される貸出不全情報の受信に基づいて、該貸出不全情報に含まれる装置ＩＤから特定されるＭＡＣアドレスに対応付けて、該貸出不全情報に含まれる各情報を記憶するとともに、交換後のカードユニット３の制御ユニット３２８が実施する交換情報送信処理によって送信される交換情報の受信に基づいて、当該交換情報に含まれる装置ＩＤから特定されるＭＡＣアドレスに対応付けて記憶している未払出玉数を特定し、当該特定した未払出玉数を含み、当該未払出玉数の払出を指示する払出指示を、該交換情報を送信してきた交換後のカードユニット３に対して送信（返信）する払出指示送信処理を実施する。
【００６５】
以下、本実施例１の遊技用システムにおける処理状況について、図９並びに図１０に基づいて説明する。
【００６６】
まず、システムコントローラ１００の前記貸出玉数設定内容受付け処理において図５に示す貸出玉数設定画面にて受付けた設定内容が、カードユニット３に配信されて設定される流れを図１０に基づいて説明すると、まず、各カードユニット３に新たな設定内容を記憶させて設定を実施させたい場合には、システムコントローラ１００において所定操作を実施することにより表示装置１０７に図５に示す貸出玉数設定画面を表示させる。
【００６７】
この本実施例の貸出玉数設定画面には、図５に示すように、その上部位置には、１球のパチンコ玉の貸出に要する玉単価を選択入力するための玉単価選択入力部と、消費税率を選択入力するための消費税率選択入力部とが設けられているとともに、その下方位置には、一度の貸与処理において使用する度数である複数の単位度数（本実施例１では最大で５つ）を設定するための貸出単位１〜５の貸出単位選択入力部と、これら各貸出単位選択入力部に対応付けて、当該貸出単位選択入力部にて選択入力された単位度数において貸与（貸出）する貸出玉数を選択入力するための貸出玉数選択入力部と、当該貸出玉数の貸与（貸出）によって生じる過不足金額を負担する負担者を選択入力するための負担者選択入力部と、該負担者が負担する負担額を選択入力するための負担額選択入力部とが設けられていて、これら貸出玉数の選択入力部には、各単位度数において負担者が負担する負担額ができるだけ少なくなるように貸出玉数を設定すれば良い。
【００６８】
具体的には、５００円の単位度数であれば、玉単価である４円に該４円に相当する消費税額である０．２円を加えた４．２円で該５００円を除した場合には、１１９.０４…玉となり、少数点未満を切り上げて１２０玉とすると、該１２０玉の貸出では４円（１２０玉×４．２円−５００円＝４円）を遊技場側が負担する必要が生じるのに対し、１１９玉の貸出とすることで、遊技者が０．２円（１１９玉×４．２円−５００円＝−０．２円）のみを負担するのみで良くなることから、より負担者の負担が少なくなる１１９玉を設定するようにすれば良く、同様に、１０００円においても、４．２円で除した場合には、２３８．０９…玉となり、切り上げて２３９玉とすると３．８円を遊技場側が負担する必要が生じるのに対し、２３８玉の貸出とすることで、遊技者が０．４円のみを負担するのみで良くなることから、より負担者の負担が少なくなる２３８玉を設定するようにすれば良く、このようにして貸出玉数と負担者並びに負担額を選択入力していき、全ての内容を選択入力した後に、貸出玉数設定画面の下方に設けられている「登録」の選択入力部を選択入力する。尚、本実施例では、貸出玉数設定画面において玉単価、消費税率、単位度数を選択入力すると、システムコントローラ１００のＣＰＵ１１３が、これら選択入力された情報に基づいて、上記のような演算を実施することで、負担額が少なくなるように貸出玉数、負担額が算出されて、貸出玉数選択入力部、負担者選択入力部並びに負担額選択入力部に自動的に選択入力される。
【００７１】
該「登録」の選択入力部の選択入力に基づいてシステムコントローラ１００のＣＰＵ１１３は、該貸出玉数設定画面にて入力された各内容を、単位度数テーブルの対応する項目に記憶するとともに、該単位度数テーブルの記憶内容の内、各単位度数と各単位度数に対応する貸出玉数とを単位度数設定データとして各カードユニット３に配信する。
【００７２】
この単位度数設定データの配信に基づいてカードユニット３の制御ユニット３２８は、受信した単位度数設定データをＲＡＭ３２８ｃに更新記憶することで、単位度数並びに、当該単位度数により貸与処理にて貸与（貸出）するパチンコ玉数（貸出玉数）を設定するようになっており、このようにすることで、各カードユニット３毎に各単位度数と各単位度数に対応する貸出玉数とを入力して設定する手間と労力を大幅に低減できる。
【００７３】
尚、このようにしてＲＡＭ３２８ｃに記憶された単位度数設定データは、一日に１回、カードユニット３の起動時において、制御ユニット３２８が自己の装置ＩＤを含む接続確認情報をシステムコントローラ１００に送信することで、該接続確認情報を受信したシステムコントローラ１００のＣＰＵ１１３は、カードユニット別データテーブルにおいて、受信した接続確認情報に含まれる装置ＩＤに対応する「状況」の項目のデータを、オフラインからオンラインに更新するとともに、その時点において単位度数テーブルに記憶されている記憶内容の内、各単位度数と各単位度数に対応する貸出玉数とを単位度数設定データとして、接続確認情報を送信してきたカードユニット３に対して配信（返信）することにより、該単位度数設定データの配信（返信）に基づいてカードユニット３の制御ユニット３２８によって、受信した単位度数設定データに更新記憶されるようになっており、このようにすることで、例えば、何らかの障害により、単位度数設定データが壊れている場合や、不正に改竄されている場合にも、毎日、正しい設定が確実に実施されるようになり、これら単位度数設定データの障害による不都合の発生を、未然に防止することができる。
【００７４】
このようにして、単位度数設定データの更新記憶が完了したカードユニット３に、遊技者が遊技をするために、発行装置２２にて購入したプリペイドカードを挿入した場合には、図９に示すように、カードユニット３のカードリーダライタ３２７により、挿入されたプリペイドカードからカードＩＤ並びに度数とが読み出されて、該読み出されたカードＩＤ並びに度数とが制御ユニット３２８に出力されることで、該制御ユニット３２８は、前記挿入中ＬＥＤ３１２ａを点灯状態とするとともに、該出力されてきたカードＩＤ並びに度数と自己の装置ＩＤとを含む使用許諾要求をシステムコントローラ１００に対して送信する。
【００７５】
尚、挿入されたプリペイドカードの発行装置２２における発行に際して、該発行されるプリペイドカードのカードＩＤと発行度数とが、発行装置２２からシステムコントローラ１００に送信されることで、該システムコントローラ１００においてカードマスターテーブルに該カードＩＤと発行度数とが対応付けて記憶されている。
【００７６】
前記使用許諾要求の受信に応じてシステムコントローラ１００のＣＰＵ１１３は、受信した使用許諾要求に含まれるカードＩＤに対応付けてカードマスターテーブルに記憶されている度数を抽出するとともに、該抽出した度数と受信した使用許諾要求に含まれる度数とを比較照合して、双方の度数が一致した場合において使用許諾を受信した使用許諾要求の送信元のカードユニット３に返信する。尚、双方の度数が一致しなかった場合においては、使用不可を受信した使用許諾要求の送信元のカードユニット３に返信することで、カードユニット３において挿入されたプリペイドカードが返却される。
【００７７】
該使用許諾の受信に基づいて制御ユニット３２８は、カードリーダライタ３２７から出力されてきた度数（挿入されたプリペイドカードから読み出した度数）を、度数・未払出玉数表示部３０９並びに対応するパチンコ機２に設けられている図示しない度数表示部に表示するとともに、変更可能ＬＥＤ３０５ａを点灯状態として、単位度数である貸出単位の変更が可能であることを報知するとともに、貸出単位変更ボタン３０６の操作並びに対応するパチンコ機２に設けられている図示しない貸出ボタンや返却ボタンの操作を有効として単位度数である貸出単位の選択や、貸出操作の受付けや返却操作の受付けを可能とする。
【００７８】
この単位度数である貸出単位の選択においては、図７に示すように、ＲＡＭ３２８ｃに記憶されている単位度数設定データに設定されている各単位度数、具体的には、システムコントローラ１００における貸出玉数設定画面にて受付けた各単位度数である１度数、３度数、５度数、１０度数が、貸出単位変更ボタン３０６の操作に応じて、順次、貸出単位表示部３０７に表示されるようになっており、遊技者は、所望する単位度数を貸出単位表示部３０７に表示させることで、所望する単位度数を選択する。尚、本実施例１では、貸出単位表示部３０７に表示される初期値としては、５度数が表示されるようになっており、該５度数の貸出単位（単位度数）で良ければ、遊技者は貸出単位変更ボタン３０６を操作する必要はない。
【００７９】
このようにして貸出単位表示部３０７に、貸出（貸与）に使用したい所望の貸出単位（単位度数）を表示させた状態において遊技者は、パチンコ機２に設けられている図示しない貸出ボタンを操作することで制御ユニット３２８は、該貸出単位表示部３０７に表示されている貸出単位（単位度数）に対応する貸出玉数を、前記ＲＡＭ３２８ｃに記憶されている単位度数設定データから、例えば貸出単位（単位度数）が５００円であれば貸出玉数は１１９玉であると特定し、該特定した貸出玉数である１１９玉を度数・未払出玉数表示部３０９に表示するとともに、該特定した貸出玉数である１１９玉に相当する信号（この場合、本実施例では１１９個のパルス信号）を、外部Ｉ／Ｏポート３３５から対応するパチンコ機２に対して出力することで、パチンコ機２においてパチンコ玉の払出が開始される。
【００８０】
このパチンコ機２におけるパチンコ玉の払出に応じて該パチンコ機２からは、１玉のパチンコ玉の払出毎に１パルスの信号が出力されるようになっており、該１パルスの信号が外部Ｉ／Ｏポート３３５から入力されることに基づいて制御ユニット３２８は、該１パルスの信号の入力毎に１玉毎、度数・未払出玉数表示部３０９に表示されている玉数（未払出玉数）の表示を減算更新するとともに、該度数・未払出玉数表示部３０９の玉数の表示が０となったか、或いは所定時間に亘り更新されていないか、つまり、パチンコ機２からの払出に伴う信号の出力が所定時間に亘り出力されていないかを監視する。
【００８１】
度数・未払出玉数表示部３０９の玉数（未払出玉数）の表示が０となった場合（実際には、ＲＡＭ３２８ｃに記憶している未払出玉数が０となった場合）に制御ユニット３２８は、不具合なく払出が完了したものと判断して、当該貸与（貸出）に供された単位度数である５度数を貸与（貸出）以前の度数、例えば図８に示す例であれば３０度数から減算した２５度数を度数・未払出玉数表示部３０９に表示するとともに、該使用度数である５度数をＲＡＭ３２８ｃに記憶されている使用度数集計データに加算更新記憶して、その当日の使用度数を集計し、更に、該使用度数である５度数と、受付け中のプリペイドカードのカードＩＤと自己の装置ＩＤとを含む貸出完了情報をシステムコントローラ１００に対して送信する。
【００８２】
そして、度数・未払出玉数表示部３０９に度数が残存すれば図９のＡに進んで、単位度数である貸出単位の選択受付けや貸出操作の受付け或いは返却操作の受付けに戻り、度数が残存する限りパチンコ玉の貸出を繰返し実施することができ、度数が所定度数である１０度数以下となった場合には、現金の受付けが有効とされることで、遊技者は入金を実施できる。尚、図示しない返却ボタンの押圧操作による返却操作があった場合には、その時点において度数・未払出玉数表示部３０９に表示している度数が受付け中のプリペイドカードに更新記録され、該更新記録後のプリペイドカードが返却される。
【００８３】
この貸出完了情報の送信に応じてシステムコントローラ１００のＣＰＵ１１３は、該受信した貸出完了情報に含まれるカードＩＤに対応してカードマスターテーブルに記憶されている度数から使用度数である５度数を減算更新するとともに、該受信した貸出完了情報に含まれる装置ＩＤに対応付けてカードユニット別データテーブルに記憶されている本日使用度数に、該受信した使用度数である５度数を加算更新する。そして、当該使用度数である５度数に対応する貸出玉数と負担者並びに負担額を、単位度数テーブルにおいて該使用度数である５度数に対応して記憶されている貸出玉数（１１９玉）と負担者（遊技者）並びに負担額（０．２円）から特定し、当該特定した貸出玉数（１１９玉）に、単位度数テーブルに記憶されている玉単価（４．０円）を乗じた金額である４７６円に単位度数テーブルに記憶されている消費税率（５％）を乗じた金額である２３．８円を消費税額に加算更新し、該算出した消費税額である２３．８円を５００円から減じた４７６．２円を税なし売上に加算更新し、該特定した貸出玉数（１１９玉）に対応する負担額（０．２円）を、特定した負担者である遊技者に対応する遊技者負担額に加算更新することでカードユニット別データテーブルを更新する。
【００８４】
つまり、売上情報となる貸出完了情報から特定される単位遊技用価値の大きさとなる使用度数に対して前記遊技媒体数記憶手段となる単位度数テーブルに記憶されている遊技媒体数である貸出玉数と、遊技媒体の単価である玉単価と消費税率とに基づいて、消費税を含まない売上額である税なし売上と、消費税額とを別々に集計するとともに、前記売上情報となる貸出完了情報から特定される単位遊技用価値の大きさとなる使用度数に対して前記遊技媒体数記憶手段となる単位度数テーブルに記憶されている遊技媒体数である貸出玉数と、遊技媒体の単価である玉単価と消費税率とに基づいて、遊技場または遊技者の負担となった負担額であるホール負担額と遊技者負担額とを集計する。尚、本実施例においては、ホール負担額と遊技者負担額の集計に関して、該集計する使用度数に対応する負担額を該使用度数に対応して設定されている負担額から算出して集計しているが、これら設定されている負担額も、玉単価と消費税率と貸出玉数とに基づいて予め算出されて設定されていることから、これらホール負担額と遊技者負担額の集計も、玉単価と消費税率と貸出玉数とに基づいて集計すると言える。
【００８５】
このようにすることで、カードユニット別データテーブルにおいて売上となる本日使用度数が、各カードユニット３毎に集計されるようになり、各カードユニット３毎の売上並びに遊技場全体の売上を、システムコントローラ１００にて一元的に把握、管理できるとともに、各カードユニット３毎並びに遊技場全体の消費税額を含まない売上となる税なし売上と消費税額とが別々に集計されるようになり、正確な売上や消費税額を把握できるようになるばかりか、ホール負担額並びに遊技者の負担額が個別に集計されることで、遊技場または遊技者の負担額を把握できるようになり、これらの情報を貸出玉数の設定、例えば遊技者の負担が大きい場合には、ホール負担額が増えるように貸出玉数の設定を変更したり、逆にホール負担額が大きい場合には、遊技者負担額が増えるように貸出玉数の設定を変更する等のように、貸出玉数の設定変更の参考にすることができる。
【００８６】
一方、対応するパチンコ機２におけるパチンコ玉の払出中に、該払出に伴う信号の出力が所定時間に亘り出力されていない場合には、制御ユニット３２８により、パチンコ玉の払出において不具合が発生したことが検出され、該制御ユニット３２８は多機能ＬＥＤ３０１ａの発光態様をエラー発生の発行態様（赤の点滅点灯）にしてエラーの発生を報知するとともに、その時点において度数・未払出玉数表示部３０９に表示されているパチンコ玉数を未払出玉数として特定し、該特定した未払出玉数と自己の装置ＩＤ、当該貸出に供された単位度数である使用度数（５度数）、受付け中のプリペイドカードから読み出したカードＩＤとを含む貸出不全情報をシステムコントローラ１００に送信する。
【００８７】
この貸出不全情報を受信したシステムコントローラ１００は、該受信した貸出不全情報に含まれる装置ＩＤに対応付けてカードユニット別データテーブルに記憶されているＭＡＣアドレスを特定し、該特定したＭＡＣアドレスに対応付けて該受信した貸出不全情報を記憶する。
【００８８】
そして、貸出不全情報を送信したカードユニット３は、前記エラーの発生を報知により係員等により、カードユニットストッカ２０に収納されているカードユニット３と交換され、該交換される新たなカードユニット３は、交換前の不具合を生じたカードユニット３が接続されていた接続口と同一の接続口からＬＡＮに接続されて遊技島に設置され、該設置時において、貸出単位変更ボタン３０６を押圧操作した状態にて起動することで、該交換されたカードユニット３の制御ユニット３２８が、交換により設置されたものと判断し、ＬＡＮへの接続口となるＨＵＢ８’の接続口のＭＡＣアドレス、つまりは交換前のカードユニット３の装置ＩＤに対応付けてカードユニット別データテーブルに記憶されているＭＡＣアドレスと同一となるＭＡＣアドレスをＨＵＢ８’から取得し、該取得したＭＡＣアドレスと装置ＩＤと交換された旨とを含む交換情報をシステムコントローラ１００に送信する。
【００８９】
この交換情報を受信したシステムコントローラ１００のＣＰＵ１１３は、該受信した交換情報に含まれるＭＡＣアドレスに対応付けて記憶されている貸出不全情報に含まれる装置ＩＤに対応付けてカードユニット別データテーブルに記憶されている「状況」をオフラインに更新し、ＭＡＣアドレスの項目のデータを消去するとともに、該受信した交換情報に含まれる装置ＩＤをカードユニット別データテーブルに追加登録し、該装置ＩＤに対応する設置島並びに対応台番号に、前記交換されたカードユニット３の記憶情報と同一の情報を更新記憶し、「状況」をオンラインに更新、更に、該装置ＩＤに対応するＭＡＣアドレスの項目に受信した交換情報に含まれるＭＡＣアドレスを記憶してカードユニット別データテーブルを更新する。
【００９０】
そして、システムコントローラ１００のＣＰＵ１１３は、該受信した交換情報に含まれるＭＡＣアドレスに対応付けて記憶されている貸出不全情報に含まれる未払出玉数から交換されたカードユニット３に対して払出を指示する未払出玉数を特定し、該特定した未払出玉数を含み、該未払出玉数のパチンコ玉の払出を指示する払出指示を、交換情報の送信元のカードユニット３に送信する。
【００９１】
この払出指示の受信に基づいて制御ユニット３２８は、該受信した払出指示に含まれる未払出玉数、例えば未払出玉数が５０玉であれば、通常のパチンコ玉の貸与処理と同様に、５０玉に相当する信号（パルス）を、外部Ｉ／Ｏポート３３５から対応するパチンコ機２に対して出力することで、パチンコ機２において該未払出玉数である５０玉の払出が開始される。尚、この未払出玉数の払出においても、払出に応じてパチンコ機２から出力される１玉毎のパルスを計数（５０玉から減算）して、全ての未払出玉数が払い出されたかを制御ユニット３２８が監視する。
【００９２】
これら未払出玉数の払出が完了した場合に制御ユニット３２８は、自己の装置ＩＤと払出が完了した旨とを含む未払出玉数貸出完了情報をシステムコントローラ１００に送信することで、該未払出玉数貸出完了情報を受信したシステムコントローラ１００のＣＰＵ１１３が、当該受信した未払出玉数貸出完了情報に含まれる装置ＩＤに対応付けてカードユニット別データテーブルに記憶されているＭＡＣアドレスを特定し、該特定したＭＡＣアドレスに対応付けて記憶している貸出不全情報に含まれるカードＩＤに対応付けてカードマスターテーブルに記憶されている度数から、該貸出不全情報に含まれる使用度数を減算更新する。
【００９３】
そして、該受信した払出玉数貸出完了情報に含まれる装置ＩＤに対応付けてカードユニット別データテーブルに記憶されている本日使用度数に、該貸出不全情報含まれる使用度数である５度数を加算更新するとともに、当該使用度数である５度数に対応する貸出玉数と負担者並びに負担額を、単位度数テーブルにおいて該使用度数である５度数に対応して記憶されている貸出玉数（１１９玉）と負担者（遊技者）並びに負担額（０．２円）を特定し、当該特定した貸出玉数（１１９玉）に、単位度数テーブルに記憶されている玉単価（４．０円）を乗じた金額である４７６円を税なし売上に加算更新し、更に、該４７６円に単位度数テーブルに記憶されている消費税率（５％）を乗じた金額である２３．８円を消費税額に加算更新し、該算出した消費税額である２３．８円を５００円から減じた４７６．２円を税なし売上に加算更新し、該特定した貸出玉数（１１９玉）に対応する負担額（０．２円）を、特定した負担者である遊技者に対応する遊技者負担額に加算更新することでカードユニット別データテーブルを更新した後、該ＭＡＣアドレスに対応付けて記憶している貸出不全情報を消去する。
【００９４】
また、本実施例１のカードユニット３では、前述のように度数・未払出玉数表示部３０９に表示されている度数（残存度数）が、所定度数である１０度数以下となった場合には、現金の受付けが可能とされてプリペイドカードへの入金が実施できるようになっており、この入金について簡潔に説明すると、これら残存度数が１０度数以下、例えば５度数となった時点において遊技者が、１０００円紙幣を紙幣挿入口３０２に投入することで、該投入された１０００円紙幣が紙幣識別ユニット３２２よって識別されて、該識別結果（紙幣種別）が制御ユニット３２８に出力されることで、制御ユニット３２８は、受付け中のプリペイドカードのカードＩＤと、識別結果から特定される識別金額である１０００円に相当する入金度数である１０度数と、自己の装置ＩＤとを含む入金要求をシステムコントローラ１００に送信することで、該入金要求を受信したシステムコントローラのＣＰＵ１１３が、カードマスターテーブルに該受信した入金要求に含まれるカードＩＤに対応して記憶されている度数に、受信した入金要求に含まれる入金度数である１０度数を加算更新した後、更新完了を入金要求の送信元のカードユニット３に返信することで、該更新完了を受信した制御ユニット３２８が、入金以前の度数である５度数に入金度数である１０度数を加えた１５度数を度数・未払出玉数表示部３０９に更新表示するとともに、該表示された新たな度数である１５度数を、カードリーダライタ３２７により受付け中のプリペイドカードの度数に更新記録した後、図９に示すＡに進んで、単位度数である貸出単位の選択受付けや貸出操作の受付け或いは返却操作の受付けに戻ることで、これら入金した度数を遊技に使用できるようになる。
【００９５】
そして、システムコントローラ１００のＣＰＵ１１３は、図１０に示すように、予め設定されている所定時間毎、例えば２時間毎に、前記カードユニット別データテーブルに各カードユニット３の装置ＩＤに対応して記憶している本日使用度数を特定し、該特定した本日使用度数を含む照合要求を各カードユニット３に対して送信する。尚、本実施例１では、照合要求の送信タイミングを２時間毎としているが、本発明はこれに限定されるものではなく、これらの送信タイミングを、営業終了後に１回のみ実施するようにしても良く、これら照合要求の送信タイミングは、遊技場に設置されているカードユニット３の台数等から適宜に選択すれば良い。
【００９６】
この照合要求の受信に応じて制御ユニット３２８は、該受信した照合要求に含まれる本日使用度数と、ＲＡＭ３２８ｃに記憶している使用度数集計データにて集計されているその当日における使用度数とを比較照合し、該照合した結果（一致、または不一致）と装置ＩＤとを含む照合結果をシステムコントローラ１００に返信する。
【００９７】
この照合結果の受信に基づいてシステムコントローラ１００のＣＰＵ１１３は、照合結果が不一致の内容を含むものであれば、新規の貸出を不能化する旨の不能化指示を、該不一致の内容を含む照合結果の送信元のカードユニット３に返信することで、該不能化指示を受信した制御ユニット３２８は、新たなプリペイドカードの受付けを不可とするとともに、受付け中のプリペイドカードが存在する場合には、該プリペイドカードを返却して新たなプリペイドカードの受付けを不可とすることで、新たな貸与処理を不能化するようにしており、このようにすることで、システムコントローラ１００にて管理されている売上と、カードユニット３にて集計して記憶されている売上とが照合されることで、売上の信頼性を確保でき、しかも、カードユニット３における度数の使用毎や貨幣の受付け毎にこれらの照合が実施されないので、パチンコ玉の貸出に要する時間も短縮できる。
【００９８】
以上、本実施例１によれば、消費税の徴収を実施する場合のパチンコ玉の貸出において、複数の単位度数の各々に対して、遊技場の負担或いは遊技者の負担を低減できる貸出玉数を設定できるので、１００円の単位に対して一義的に貸出玉数を例えば２４玉とした場合に比較して、５００円の貸出であれば、該２４玉の５倍の１２０玉を貸し出す場合には、遊技場側の負担が４円にもなるのに対し、本実施例１では、５００円に対して貸し出す貸出玉数を１１９玉とすることで、遊技者が０．２円を負担するのみで良く、よって遊技場の負担或いは遊技者の負担を低減することができるばかりか、管理装置であるシステムコントローラ１００において、消費税額を含まない売上額となる税なし売上と消費税額とが別々に集計されるので、遊技場が正確な売上や消費税額を把握でき、正確な消費税の申告が可能となる。
【００９９】
さらに、遊技者或いは遊技場が一律に負担をする場合、例えば一律に遊技者負担とした場合で、１００円で２３玉を貸与する設定において、従来では５００円で１１５玉の貸与となり、１１５玉×４．２円−５００円＝１７円で１７円を遊技者が負担するのに対し、５００円に対して１１９玉を設定することで、１１９玉×４．２円−５００円＝０．２円が遊技者の負担となり、遊技者の負担を低減でき、逆に一律に遊技場負担とした場合で、１００円で２４玉を貸与する設定において、従来では１０００円で２４０玉の貸与となり、２４０玉×４．２円−１０００円＝−８円で８円を遊技場が負担するのに対し、１０００円に対して２３９玉を設定することで、２３９玉×４．２円−５００円＝−３．８円が遊技場の負担となり、遊技場の負担を低減できる。
【実施例２】
【０１００】
本実施例２の遊技用装置並びに該遊技用装置を含む遊技用システムの特徴としては、前記実施例１の遊技用システムにおいては、予めカードユニット３における単位度数において貸与（貸出）する貸出玉数をシステムコントローラ１００にて入力することで、各カードユニット３に配信されて制御ユニット３２８のＲＡＭ３２８ｃ内に記憶されることで設定されるようになっているのに対し、本実施例２では、貸出玉数ではなく、玉単価と消費税率と、１玉未満の玉数の処理内容（四捨五入や、切り捨て、切り上げ）である小数点未満玉数の情報をシステムコントローラ１００にて入力して、各カードユニット３に配信して設定し、これらの玉単価と消費税率と、１玉未満の玉数の処理内容とに基づいて、各単位度数において貸与（貸出）する貸出玉数をカードユニット３の制御ユニット３２８が算出する点であり、その他のシステム構成等は、前記実施例１の遊技用システムと同一であることから、同一である部分の説明は省略するものとし、前記実施例１からの変更点となる本実施例２の特徴部分について、図１１〜図１３に基づいて以下に説明する。
【０１０１】
まず、本実施例２の遊技用システムに用いたカードユニット３は、構成は前記実施例１のカードユニット３と同一とされているが、その処理内容として本実施例２の制御ユニット３２８は、本実施例２のシステムコントローラ１００から送信される消費税率を含む単位度数設定データの受信に基づいて、該受信した単位度数設定データをＲＡＭ３２８ｃに更新記憶することで設定する単位度数設定データ記憶処理を実施し、該単位度数設定データ記憶処理によって本発明における設定手段が形成されている。
【０１０２】
また、本実施例２の制御ユニット３２８は、前記単位度数設定データにて設定されている、後述する図１１に示す貸出玉数設定画面にて受付けられた消費税率と、玉単価と、小数点未満玉数の内容とに基づいて、前記単位度数受付け処理にて遊技者により選択されている貸出単位（単位度数）に対して、前記貸与処理において貸与（貸出）すべきパチンコ玉数である貸出玉数を算出する算出処理を実施し、該算出処理によって本発明の算出手段が形成されている。
【０１０３】
また、本実施例２の制御ユニット３２８は、前記貸与処理において前記算出処理によって算出された貸出玉数に相当する信号（パルス）を、外部Ｉ／Ｏポート３３５から対応するパチンコ機２に対して出力することで、該算出された貸出玉数のパチンコ玉を対応するパチンコ機２から貸与（貸出）する。
【０１０４】
また、本実施例２の遊技用システムに用いたシステムコントローラ１００は、構成は前記実施例１のシステムコントローラ１００と同一とされているが、前記実施例１における図６（ａ）の単位度数テーブルに代えて、図１２に示すように、図１１に示す本実施例２における貸出玉数設定画面にて入力される各種の情報を記憶するために、玉単価が記憶される玉単価の項目と、消費税率が記憶される消費税率の項目と、当該玉単価と消費税率とから算出される各単位度数に対応する貸出玉数の１玉未満の玉数の処理内容、具体的には四捨五入や、切り捨て、切り上げの内容が記憶される小数点未満玉数の項目とともに、図１１に示す貸出玉数設定画面にて受付けた各単位度数に対応付けて、該貸出玉数設定画面にて受付けた玉単価と消費税率とから算出される各単位度数に対応する貸出玉数と、当該貸出玉数を貸与した場合に生じる過不足金額を負担する負担者、具体的には遊技場（ホール）または遊技者のいずれかと、その負担額とが記憶されている。尚、貸出玉数としては、具体的には、玉単価として４．０円が、消費税率として５％が、小数点未満玉数の内容として四捨五入が設定されている場合には、玉単価である４．０円に、該玉単価である４．０円に消費税率である５％を乗じた消費税額である０．２円を加えた４．２円にて、各単位度数である１度数に相当する１００円、３度数に相当する３００円、５度数に相当する５００円、１０度数に相当する１０００円を除した２３．８０…、７１．４２…、１１９.０４…、２３８．０９…の小数点未満玉数を四捨五入することで、単位度数１度数に対する貸出玉数は２４玉、単位度数３度数に対する貸出玉数は７１玉、単位度数５度数に対する貸出玉数は１１９玉、単位度数１０度数に対する貸出玉数は２３８玉であると算出して、各単位度数の貸出玉数として記憶し、これら貸出玉数は、後述する制御ユニット３２８が実施する算出処理にて算出される各単位度数の貸出玉数と同一とされている。
【０１０５】
また、本実施例２のシステムコントローラ１００のＣＰＵ１１３は、所定の操作に基づいて、表示装置１０７に、図１１に示す貸出玉数設定画面を表示して、遊技媒体であるパチンコ玉の単価である玉単価と、消費税率と、当該玉単価と消費税率とから算出される各単位度数に対応する貸出玉数の１玉未満の玉数の処理内容、具体的には四捨五入や、切り捨て、切り上げの内容である小数点未満玉数とともに、複数の単位度数と、これら複数の単位度数の各々に対して、前記玉単価と消費税率と小数点未満玉数の内容とから算出される各単位度数に対応する貸出玉数の貸出によって生じる過不足金額を負担する負担者とその負担額とを受付ける貸出玉数設定内容受付け処理を実施し、該貸出玉数設定内容受付け処理によって本発明における消費税率受付け手段が形成されている。
【０１０６】
また、本実施例２のシステムコントローラ１００のＣＰＵ１１３は、前記貸出玉数設定内容受付け処理によって図１１に示す貸出玉数設定画面にて受付けた遊技媒体の単価である玉単価と、消費税率とを、前記単位度数テーブルに記憶する単価情報記憶処理を実施し、該単価情報記憶処理によって本発明における単価情報記憶手段が形成されている。
【０１０７】
また、本実施例のシステムコントローラ１００のＣＰＵ１１３は、前記貸出玉数設定内容受付け処理によって図１１に示す貸出玉数設定画面にて受付けることで、各カードユニット３にて設定されることとなる消費税率と、玉単価と、小数点未満玉数の内容とから算出される単位度数の各々に対する貸出玉数、並びに該貸出玉数設定画面にて受付けた単位度数の各々に対する負担者とその負担額とを、単位度数テーブルに記憶する貸出玉数記憶処理を実施し、該貸出玉数記憶処理によって本発明における遊技媒体数記憶手段が形成されている。
【０１０８】
また、本実施例２のシステムコントローラ１００のＣＰＵ１１３は、前記貸出玉数設定内容受付け処理において図１１に示す貸出玉数設定画面にて受付けられて、前記単価情報記憶処理並びに貸出玉数記憶処理によって単位度数テーブルに記憶されている記憶内容、具体的には、消費税率と、玉単価と、小数点未満玉数の内容と、各単位度数とを単位度数設定データとして各カードユニット３に配信する単位度数設定データ配信処理を実施し、該単位度数設定データ配信処理によって本発明における消費税率配信手段が形成されている。
【０１０９】
以下、本実施例２の遊技用システムにおける処理状況として、まず、システムコントローラ１００の前記貸出玉数設定内容受付け処理において図１１に示す貸出玉数設定画面にて受付けた設定内容がカードユニット３に配信されて設定される流れについて簡潔に説明すると、これらの処理の状況は、ほぼ実施例１の遊技用システムにおける図１０の処理内容と同様とされており、各カードユニット３に新たな設定内容を記憶させて設定を実施させたい場合には、システムコントローラ１００において所定操作を実施することにより表示装置１０７に図１１に示す貸出玉数設定画面を表示させる。
【０１１０】
この本実施例の貸出玉数設定画面には、図１１に示すように、その上部位置には、１球のパチンコ玉の貸出に要する玉単価を選択入力するための玉単価選択入力部と、消費税率を選択入力するための消費税率選択入力部と、当該玉単価と消費税率とから算出される各単位度数に対応する貸出玉数の１玉未満の玉数の処理内容、具体的には四捨五入や、切り捨て、切り上げの内容を選択入力するための小数点未満玉数選択入力部とが設けられているとともに、その下方位置には、一度の貸与処理において使用する度数である複数の単位度数（本実施例２では最大で５つ）を設定するための貸出単位１〜５の貸出単位選択入力部と、これら各貸出単位選択入力部に対応付けて、これら複数の単位度数の各々に対して、前記玉単価選択入力部並びに消費税率選択入力部と小数点未満玉数選択入力部にて選択入力された玉単価と消費税率と小数点未満玉数の内容とから算出される各単位度数に対応する貸出玉数の貸出によって生じる過不足金額を負担する負担者を選択入力するための負担者選択入力部と、該負担者が負担する負担額を選択入力するための負担額選択入力部とが設けられていて、全ての内容を選択入力した後に、貸出玉数設定画面の下方に設けられている「登録」の選択入力部を選択入力する。尚、本実施例では、貸出玉数設定画面において玉単価、消費税率、小数点未満玉数選択入力部の選択内容（四捨五入、切り捨て、切り上げ）を選択入力すると、システムコントローラ１００のＣＰＵ１１３により、これら選択入力された情報に基づいて、例えば貸出単位５度数の場合であれば、５度数に相当する５００円を玉単価である４円に該４円に相当する消費税額である０．２円を加えた４．２円で除した玉数である１１９．０４…玉に基づいて、小数点以下の０．０４…を四捨五入して１１９玉とすることにより遊技者が小数点以下の０．０４…分となる０．２円を負担することになるので、負担者が遊技者と判定されて負担者選択入力部に、該０．２円が負担額として負担額選択入力部に自動的に選択入力される。
【０１１１】
該「登録」の選択入力部を選択入力に基づいてシステムコントローラ１００のＣＰＵ１１３は、該貸出玉数設定画面にて入力された各内容を、単位度数テーブルの対応する項目に記憶するとともに、該単位度数テーブルの記憶内容の内、玉単価と消費税率と小数点未満玉数と各単位度数とを単位度数設定データとして各カードユニット３に配信する。
【０１１２】
この単位度数設定データの配信に基づいてカードユニット３の制御ユニット３２８は、受信した単位度数設定データをＲＡＭ３２８ｃに更新記憶することで、単位度数並びに消費税率を設定するようになっており、このようにすることで、各カードユニット３毎に各単位度数と消費税率を設定する手間と労力を大幅に低減できる。
【０１１３】
また、これらＲＡＭ３２８ｃに記憶されている単位度数設定データは、前記実施例１の場合と同様に、一日に１回、カードユニット３の起動時において、システムコントローラ１００から配信される単位度数設定データに更新されることで、例えば、何らかの障害により、単位度数設定データが壊れている場合や、不正に改竄されている場合にも、毎日、正しい設定が確実に実施されるようになり、これら単位度数設定データの障害による不都合の発生を、未然に防止することができる。
【０１１４】
このようにして、単位度数設定データの更新記憶が完了したカードユニット３に、遊技者がプリペイドカードを挿入した場合には、図１３に示すように、カードユニット３のカードリーダライタ３２７により、挿入されたプリペイドカードからカードＩＤ並びに度数とが読み出されて、該読み出されたカードＩＤ並びに度数とが制御ユニット３２８に出力されることで、該制御ユニット３２８は、前記挿入中ＬＥＤ３１２ａを点灯状態とするとともに、該出力されてきたカードＩＤ並びに度数と自己の装置ＩＤとを含む使用許諾要求をシステムコントローラ１００に対して送信することで、システムコントローラ１００において前記実施例１の場合と同様に、カードＩＤに対応付けてカードマスターテーブルに記憶されている度数と該使用許諾要求に含まれる度数との比較照合が実施されて、双方の度数が一致した場合において使用許諾が該カードユニット３に返信される。
【０１１５】
該使用許諾の受信に基づいて制御ユニット３２８は、カードリーダライタ３２７から出力されてきた度数（挿入されたプリペイドカードから読み出した度数）を、度数・未払出玉数表示部３０９並びに対応するパチンコ機２に設けられている図示しない度数表示部に表示するとともに、変更可能ＬＥＤ３０５ａを点灯状態として、単位度数である貸出単位の変更が可能であることを報知するとともに、貸出単位変更ボタン３０６の操作並びに対応するパチンコ機２に設けられている図示しない貸出ボタンや返却ボタンの操作を有効として単位度数である貸出単位の選択や、貸出操作の受付けや返却操作の受付けを可能とする。
【０１１６】
この単位度数である貸出単位の選択においては、前記実施例１と同様に、ＲＡＭ３２８ｃに記憶されている単位度数設定データに設定されている各単位度数、具体的には、システムコントローラ１００における貸出玉数設定画面にて受付けた各単位度数である１度数、３度数、５度数、１０度数が、貸出単位変更ボタン３０６の操作に応じて、順次、貸出単位表示部３０７に表示され、遊技者は、所望する単位度数を貸出単位表示部３０７に表示させることで、所望する単位度数を選択する。
【０１１７】
このようにして貸出単位表示部３０７に、貸出（貸与）に使用したい所望の単位度数を表示させた状態において遊技者は、パチンコ機２に設けられている図示しない貸出ボタンを操作することで制御ユニット３２８は、該貸出単位表示部３０７に表示されている単位度数に対応する貸出玉数を、前記ＲＡＭ３２８ｃに記憶されている消費税率と、玉単価と、小数点未満玉数の内容とに基づいて、貸与処理において貸与すべきパチンコ玉数である貸出玉数を算出する。具体的には、例えば単位度数が５００円であって、図１１に示すように、玉単価として４．０円が、消費税率として５％が、小数点未満玉数の内容として四捨五入が設定されている場合には、玉単価である４．０円に、該玉単価である４．０円に消費税率である５％を乗じた消費税額である０．２円を加えた４．２円にて、単位度数である５００円を除した１１９.０４…玉の小数点未満玉数を四捨五入することで、貸出玉数は１１９玉であると算出し、該算出した貸出玉数である１１９玉を度数・未払出玉数表示部３０９に表示するとともに、該特定した貸出玉数である１１９玉に相当する信号（パルス）を、外部Ｉ／Ｏポート３３５から対応するパチンコ機２に対して出力することで、パチンコ機２においてパチンコ玉の払出が開始され、前記実施例１と同様に、対応するパチンコ機２から１玉のパチンコ玉の払出毎に出力される１パルスの信号に基づいて度数・未払出玉数表示部３０９の玉数の表示１玉毎に減算更新するとともに、該度数・未払出玉数表示部３０９の玉数の表示が０となったか、或いは所定時間に亘り更新されていないか、つまり、パチンコ機２からの払出に伴う信号の出力が所定時間に亘り出力されていないかを監視する。
【０１１８】
そして、度数・未払出玉数表示部３０９の玉数の表示が０となった場合に制御ユニット３２８は、当該貸与（貸出）に供された単位度数である例えば５度数を貸出以前の度数から減算した新たな度数を度数・未払出玉数表示部３０９に表示するとともに、該使用度数をＲＡＭ３２８ｃに記憶されている使用度数集計データに加算更新記憶する。また、該使用度数と、受付け中のプリペイドカードのカードＩＤと自己の装置ＩＤとを含む貸出完了情報をシステムコントローラ１００に対して送信した後、度数・未払出玉数表示部３０９に度数が残存すれば図１３のＡに進んで、単位度数である貸出単位の選択受付けや貸出操作の受付け或いは返却操作の受付けに戻り、度数が残存する限りパチンコ玉の貸出を繰返し実施することができ、度数が所定度数である１０度数以下となった場合には、現金の受付けが有効とされて、入金を実施できる。尚、図示しない返却ボタンの押圧操作による返却操作があった場合には、その時点において度数・未払出玉数表示部３０９に表示している度数を受付け中のプリペイドカードに更新記録して該プリペイドカードを返却する。
【０１１９】
この貸出完了情報の送信に応じてシステムコントローラ１００のＣＰＵ１１３は、前記実施例１と同様に、該受信した貸出完了情報に含まれるカードＩＤに対応してカードマスターテーブルに記憶されている度数から使用度数を減算更新するとともに、該受信した貸出完了情報に含まれる装置ＩＤに対応付けてカードユニット別データテーブルに記憶されている本日使用度数に、該受信した使用度数を加算更新する。そして、当該使用度数、例えば５度数に対応する貸出玉数と負担者並びに負担額を、単位度数テーブルにおいて該使用度数である５度数に対応して記憶されている貸出玉数（１１９玉）と負担者（遊技者）並びに負担額（０．２円）を特定し、当該特定した貸出玉数（１１９玉）に、単位度数テーブルに記憶されている玉単価（４．０円）を乗じた金額である４７６円に単位度数テーブルに記憶されている消費税率（５％）を乗じた金額である２３．８円を消費税額に加算更新し、該算出した消費税額である２３．８円を５００円から減じた４７６．２円を税なし売上に加算更新し、該特定した貸出玉数（１１９玉）に対応する負担額（０．２円）を、特定した負担者である遊技者に対応する遊技者負担額に加算更新することでカードユニット別データテーブルを更新する。
【０１２０】
尚、本実施例では、システムコントローラ１００の図１２に示す単位度数テーブルにおいて、貸出玉数、負担者、負担額を予め算出して記憶するようにしているが、本発明はこれに限定されるものではなく、システムコントローラ１００においては、玉単価、消費税率、小数点未満玉数のデータのみを記憶しておき、これら玉単価、消費税率、小数点未満玉数のデータに基づいて、貸出完了情報の受信に応じ、該貸出完了情報に含まれる使用度数に相当する貸出玉数、負担者、負担額を算出するとともに、これら算出した貸出玉数、負担者、負担額を用いて税なし売上に加算する金額や、消費税額や遊技場（ホール）または遊技者の負担額に加算する金額を算出して集計するようにしても良い。
【０１２１】
一方、対応するパチンコ機２におけるパチンコ玉の払出中に、該払出に伴う信号の出力が所定時間に亘り出力されていない場合には、制御ユニット３２８により不具合の発生が検出されることで、前記実施例１と同様に、該制御ユニット３２８は多機能ＬＥＤ３０１ａの発光態様にてエラーの発生を報知するとともに、貸出不全情報をシステムコントローラ１００に送信することで、システムコントローラ１００において該貸出不全情報が当該貸出不全情報を送信したカードユニット３の装置ＩＤに対応してカードユニット別データテーブルに記憶されているＭＡＣアドレスに対応付けて記憶され、該不具合を生じたカードユニット３に代えて設置された交換後のカードユニット３から、前記実施例１と同様に交換情報がシステムコントローラ１００に送信されることで、該システムコントローラ１００から払出指示が当該交換後のカードユニット３に送信されることで、未払出玉数が確実に払い出されるようになっている。
【０１２２】
以上、本実施例２によれば、消費税の徴収を実施する場合のパチンコ玉の貸出において、設定されている消費税率や、玉単価、小数点未満玉数の内容とに基づいて、複数の各単位度数にて貸与する貸出玉数が算出されるようになり、１００円の単位に対して一義的に貸出玉数を例えば２４玉とした場合に比較して、５００円の貸出であれば、該２４玉の５倍の１２０玉を貸し出す場合には、遊技場側の負担が４円にもなるのに対し、本実施例２では、５００円に対して貸し出す貸出玉数が１１９玉として算出されるようになるので、遊技者が０．２円を負担するのみで良く、よって遊技場の負担或いは遊技者の負担を低減することができるばかりか、遊技場が管理装置であるシステムコントローラ１００において、消費税額を含まない売上額となる税なし売上と消費税額とが別々に集計されるので、正確な売上や消費税額を把握でき、正確な消費税の申告が可能となる。
【０１２３】
さらに、遊技者或いは遊技場が一律に負担をする場合、例えば一律に遊技者負担とした場合で、１００円で２３玉を貸与する設定において、従来では５００円で１１５玉の貸与となり、１１５玉×４．２円−５００円＝１７円で１７円を遊技者が負担するのに対し、５００円に対して１１９玉を算出することで、１１９玉×４．２円−５００円＝０．２円が遊技者の負担となり、遊技者の負担を低減でき、逆に一律に遊技場負担とした場合で、１００円で２４玉を貸与する設定において、従来では１０００円で２４０玉の貸与となり、２４０玉×４．２円−１０００円＝−８円で８円を遊技場が負担するのに対し、１０００円に対して２３９玉を算出することで、２３９玉×４．２円−５００円＝−３．８円が遊技場の負担となり、遊技場の負担を低減できる。
【実施例３】
【０１２４】
本実施例３は請求項２および請求項７に対応しており、本実施例３の遊技用装置並びに該遊技用装置を含む遊技用システムを図面に基づいて説明すると、図１４は、本実施例３の遊技用システムの構成を示す図であり、本実施例３の遊技用システムは、遊技場において複数配置された図示しない遊技島に並設され、隣設されている現金ユニット３５０からパチンコ玉の払出を受けて遊技を行うパチンコ玉の貸出機能を有しない通常のパチンコ機２’と、該パチンコ機２’に対して１対１に対応設置される本発明の遊技用装置としての現金ユニット３５０と、遊技場内の所定箇所に設置され、該現金ユニット３５０にて使用された使用金額を各現金ユニット３５０毎に集計して売上を管理するホールコンピュータ１５０と、から主に構成されている。
【０１２５】
これら遊技場内に設置された現金ユニット３５０とホールコンピュータ１５０とは、通信ケーブル９を介して双方向のデータ通信可能に接続され、これら各現金ユニット３５０とホールコンピュータ１５０にはそれぞれローカルＩＰアドレスが付与されてローカルエリアネットワーク（ＬＡＮ）が形成されていて、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっているとともに、これら各接続装置が接続されるＨＵＢ９’（図１６参照）の接続口には、各接続口に固有のＭＡＣ（メディアアクセスコントロール）アドレスが付与されていて、該接続口のＭＡＣアドレスを現金ユニット３５０がＨＵＢ９’から取得できるようにされており、これらＭＡＣアドレスを各接続口に接続された現金ユニット３５０がホールコンピュータ１５０に送信することで、該ＭＡＣアドレスによりどの接続口にどの現金ユニット３５０が接続されているかをホールコンピュータ１５０にて把握できるようになっている。
【０１２６】
次いで、本実施例３に用いた遊技用装置である現金ユニット３５０について簡潔に説明すると、この現金ユニット３５０は、前述のように遊技島に並設される遊技機としてのパチンコ機２’に１対１に対応して設置されている。
【０１２７】
この本実施例３の遊技用装置である現金ユニット３５０を図１５並びに図１６に基づいて説明すると、該玉貸ユニット３５０の前面には、図１５に示すように、動作ＬＥＤユニット３５１、紙幣挿入口３５２、硬貨投入口３５３、硬貨返却ボタン３５４、操作表示部３６４、払出球供給部３６０、硬貨返却口３５８、が設けられている。
【０１２８】
動作ＬＥＤユニット３５１は、現金ユニット３５０が動作中であることを点灯により表示するとともに、その点灯態様（点滅点灯）により、パチンコ玉の払出中に不具合（エラー）が発生したことを係員に報知するためのものである。
【０１２９】
紙幣挿入口３５２には１０００円の紙幣が、硬貨投入口３５３には１００円と５００円硬貨が投入可能とされ、該紙幣挿入口３５２または硬貨投入口３５３から挿入（投入）された紙幣や硬貨は、各該紙幣挿入口３５２または硬貨投入口３５３に連設された本発明における貨幣識別手段となる紙幣識別ユニット３７１や硬貨識別ユニット３７２（図１６参照）により、真贋並びに金種が識別され、該識別金種の情報等を含む識別情報が制御ユニット３８０に出力される。尚、硬貨返却ボタン３５４が操作された場合や、１００円と５００円以外の硬貨は、硬貨返却口３５８から返却される。
【０１３０】
操作表示部３６４には、投入して識別された識別金額並びに当該識別金額に対して貸出される貸出玉数のうち、未払い出しの玉数が表示される金額・未払出玉数表示部３６１や、識別金額が金額・未払出玉数表示部３６１に表示されているまでの間において貸出の中止を遊技者から受付けるための中止ボタンスイッチ３６２とが設けられている。
【０１３１】
払出球供給部３６０は、現金ユニット３５０内部に設けられた後述する制御ユニット３８０から出力される信号（パルス）に応じた数のパチンコ玉を、１玉づつ計数して払い出すとともに、該払い出して計数したパチンコ玉の１玉毎に１パルスの信号を出力する球切り払出ユニット３７３に連通するように設けられており、該球切り払出ユニット３７３から払い出された球をパチンコ機２’に誘導供給する。
【０１３２】
図１６は、本実施例３の現金ユニット３５０の構成を示すブロック図であり、本実施例３の現金ユニット３５０は、前記した紙幣識別ユニット３７１や硬貨識別ユニット３７２や球切り払出ユニット３７３に接続されて、現金ユニット３５０の動作を制御する制御ユニット３８０が設けられており、該制御ユニット３８０には、制御ユニット３８０が実施するパチンコ玉を貸出する貸与処理等の各種の制御処理の内容が記述された処理プログラムが記憶されているＲＯＭ３８２や、該ＲＯＭ３８２に記憶されている処理プログラムに基づいてパチンコ玉を貸出する貸与処理等の各種制御処理を行うマイクロプロセッシングユニット（ＭＰＵ）３８１や、マイクロプロセッシングユニット（ＭＰＵ）３８１が実施する各種の処理に使用されるとともに、ホールコンピュータ１５０から送信される貸出玉数設定データや、貸与処理に供された識別金額が加算されて集計される売上集計データ等が記憶されるＲＡＭ３８３が搭載されている。
【０１３３】
また、制御ユニット３８０には、ホールコンピュータ１５０と双方向のデータ通信を実施するための本発明における通信手段となる通信部３７４が接続されているとともに、前記した動作ＬＥＤユニット３５１や金額・未払出玉数表示部３６１を形成する金額・未払出玉数表示器３６１ａが接続されていて、これら動作ＬＥＤユニット３５１の表示態様や金額・未払出玉数表示器３６１ａの表示が制御ユニット３８０により制御される。
【０１３４】
また、制御ユニット３８０には、中止ボタンスイッチ３６２が接続されていて、該中止ボタンスイッチ３６２の操作を制御ユニット３８０が検出できるようになっている。
【０１３５】
また、本実施例３の制御ユニット３８０は、前記した紙幣識別ユニット３７１や硬貨識別ユニット３７２にて識別された貨幣の識別金額に基づいて、当該識別金額に対して前記ＲＡＭ３８３に記憶されている貸出玉数設定データにて設定されている貸出玉数のパチンコ球を、前記球切り払出ユニット３７３にて払い出して貸与する貸与処理を実施し、該貸与処理にて本発明における貸与処理手段が形成されている。
【０１３６】
また、本実施例３の制御ユニット３８０は、ホールコンピュータ１５０から送信される、各識別金額の各々に対して前記貸与処理において貸与される貸出玉数を含む後述する貸出玉数設定データの受信に基づいて、該受信した貸出玉数設定データをＲＡＭ３８３に更新記憶することで設定する貸出玉数設定データ記憶処理を実施し、該貸出玉数設定データ記憶処理によって本発明における設定手段が形成されている。
【０１３７】
また、本実施例３の制御ユニット３８０は、接続されている球切り払出ユニット３７３から１球のパチンコ玉の払出毎に出力される信号（パルス）を計数することで、実際に遊技者に貸与（貸出）したパチンコ玉数を計数し、該計数した玉数を１玉づつ、図２０に示すように、金額・未払出玉数表示部３６１に表示されている当該貸与処理において供された識別金額に対して設定されている貸出玉数から減算更新する払出玉数計数処理を実施し、該払出玉数計数処理によって本発明における計数手段が形成されている。
【０１３８】
また、本実施例３の制御ユニット３８０は、金額・未払出玉数表示部３６１に表示されている未払出玉数が存在するときに、図２０に示すように、接続されている球切り払出ユニット３７３からパチンコ玉の払出に伴う信号（パルス）の入力無いことにより、所定の時間において未払出玉数が更新されないことに基づいて貸与処理中における不具合の発生を検出する不具合検出処理を実施し、該不具合検出処理によって本発明における検出手段が形成されている。尚、本実施例では、これら不具合検出処理における不具合検出時に、前記金額・未払出玉数表示部３６１には自動的に未払出玉数が表示されていることになり、つまり、前記払出玉数計数処理によって本発明における未貸与数表示手段が形成されている。
【０１３９】
また、本実施例３の制御ユニット３８０は、前記不具合検出処理によって不具合が検出されたときに、当該貸与処理において貸与（貸出）されるべきパチンコ玉数（貸出玉数）と実際に貸与（貸出）したパチンコ玉数とから特定される未貸与のパチンコ玉数、つまりは不具合が検出されたときに前記金額・未払出玉数表示部３６１９に表示されているパチンコ玉数を未払出玉数として特定し、該特定した未払出玉数と装置ＩＤ、当該貸与処理に供された識別金額とを含む本発明における未貸与数情報となる貸出不全情報をホールコンピュータ１５０に送信する貸出不全情報送信処理を実施し、該貸出不全情報送信処理によって本発明における未貸与数情報送信手段が形成されている。
【０１４０】
また、本実施例３の制御ユニット３８０は、前記金額・未払出玉数表示部３６１に表示されている未払出玉数が０、つまりは全てのパチンコ玉の払出が完了したことに基づいて、該貸与処理に供された識別金額を、ＲＡＭ３８３に記憶されている売上集計データに加算更新記憶することで当該現金ユニット３５０におけるその当日の売上を集計記憶する売上集計記憶処理を実施し、該売上集計記憶処理によって本発明における売上集計記憶手段が形成されている。
【０１４１】
また、本実施例３の制御ユニット３８０は、貸与処理において全てのパチンコ玉の払出が完了したことに基づいて、該貸与処理に供された識別金額と、当該現金ユニット３５０の装置ＩＤとを含む売上情報を、ホールコンピュータ１５０に対して送信する売上情報送信処理を実施し、該売上情報送信処理によって本発明における売上情報送信手段が形成されている（図２１参照）。
【０１４２】
また、本実施例３の制御ユニット３８０は、所定時間毎にホールコンピュータ１５０から送信されてくる照合要求の受信に応じて、該照合要求に含まれるホールコンピュータ１５０にて管理されている当該現金ユニット３５０における売上である後述する本日売上金額と、前記売上集計記憶処理によって売上集計データに集計記憶されている当該カードユニット３における売上となる集計売上金額とを比較照合し、当該照合結果をホールコンピュータ１５０に送信する照合処理を実施し、該照合処理によって本発明における照合処理手段が形成されている。
【０１４３】
また、本実施例３の制御ユニット３８０は、不具合を生じた現金ユニット３５０と交換設置された際に、中止ボタン３６２が押圧操作された状態にて起動されることにより、交換により設置されたものと判断し、ＬＡＮへの接続口となるＨＵＢ９’の接続口のＭＡＣアドレスを該ＨＵＢ９’から取得し、該取得したＭＡＣアドレスと装置ＩＤと交換された旨とを含む交換情報をホールコンピュータ１５０に送信する交換情報送信処理を実施し、該交換情報送信処理によって本発明における交換情報送信手段が形成されている（図２１参照）。
【０１４４】
また、本実施例３の制御ユニット３８０は、交換情報送信処理における交換情報の送信に応じてホールコンピュータ１５０から返信される払出指示に受信に応じて、該払出指示に含まれる未払い出し玉数を球切り払出ユニット３７３から払出す未貸与分貸与処理を、前記貸与処理と同様に実施する（図２１参照）。
【０１４５】
次いで、本実施例３に用いたホールコンピュータ１５０について説明すると、該ホールコンピュータ１５０は、図１７に示すように、コンピュータ内部にてデータの送受を行うデータバス１５１に、該ホールコンピュータ１５０が実施する各種処理を行う中央演算処理装置（ＣＰＵ）１５２、ＲＡＭ１５３、時刻情報やカレンダ情報を出力するリアルタイムクロック１５４、表示装置１５７、キーボードやマウス等の入力装置１５８、プリンタ１５６、磁気ディスクや光磁気ディスクから成り、後述する貸出玉数テーブル（図１９（ａ）参照）やユニット別データテーブル（図１９（ｂ）参照）等を記憶するための記憶装置１５５、各現金ユニット３５０とのデータ通信を行うための通信インターフェィス１５９が接続された通常のコンピュータである。
【０１４６】
また、記憶装置１５５には、該ホールコンピュータ１５０が各種処理を実施するための処理プログラムに加えて、後述する貸出玉数設定画面にて受付けた玉単価や消費税率や各識別金額や貸出玉数等の内容が記憶される図１９（ａ）に示す貸出玉数テーブルや、各現金ユニット３５０における売上となる本日売上金額等の各種情報が記憶される図１９（ｂ）に示すユニット別データテーブルが記憶されている。
【０１４７】
本実施例３の貸出玉数テーブルは、図１９（ａ）に示すように、図１８に示す貸出玉数設定画面にて受付けた各識別金額に対応付けて、当該識別金額にて遊技者に貸与（貸出）するパチンコ玉の玉数である貸出玉数と、当該貸出玉数を貸与した場合に生じる過不足金額を負担する負担者、具体的には遊技場（ホール）または遊技者のいずれかと、その負担額とが記憶されているとともに、該貸出玉数設定画面にて受付けたパチンコ玉の玉単価（本実施例では４円）並びに消費税率（本実施例では５％）とが記憶されている。
【０１４８】
本実施例３のユニット別データテーブルは、図１９（ｂ）に示すように、各現金ユニット３５０に固有に付与された装置ＩＤに対応付けて、当該現金ユニット３５０が設置されている遊技島の島番号が記憶される設置島の項目と、対応する台の台番号が記憶される対応台番号の項目と、通信状態（オンラインかオフラインか）が記憶される状況の項目と、該現金ユニット３５０が接続されているＨＵＢ９’の接続口のＭＡＣアドレスが記憶されるＭＡＣアドレスの項目と、該現金ユニット３５０から送信される売上情報に含まれる識別金額が加算記憶される本日売上金額の項目と、該本日売上金額の内の消費税を含まない売上額が加算記憶される税なし売上の項目と、本日売上金額の内の消費税額が加算記憶される消費税額の項目と、１玉未満の過不足金額うち遊技場（ホール）が負担している負担額が加算記憶されるホール負担額の項目と、１玉未満の過不足金額うち遊技者が負担している負担額が加算記憶される遊技者負担額の項目とが設けられており、これらの各項目の情報が各現金ユニット３５０に固有に付与された装置ＩＤに対応付けて記憶されることで、ホールコンピュータ１５０において各現金ユニット３５０の売上等の各情報が個別に管理されている。
【０１４９】
尚、本実施例３のユニット別データテーブルにあっては、本日売上金額の項目と、税なし売上の項目、消費税額の項目、ホール負担額の項目、遊技者負担額の項目において合計が算出されることで、遊技場全体の本日売上金額や、遊技場全体の税なし売上や、遊技場全体の消費税額や、遊技場全体でのホール負担額や、遊技場全体での遊技者負担額が個々に集計されるようになっている。尚、ユニット別データテーブルの本日売上金額の項目と、税なし売上の項目、消費税額の項目、ホール負担額の項目、遊技者負担額の項目のデータは、１日に一度、ホールコンピュータ１５０の起動処理においてリセットされてカードユニット別データテーブルが更新される。
【０１５０】
また、本実施例３のホールコンピュータ１５０のＣＰＵ１５２は、所定の操作に基づいて、表示装置１５７に、図１８に示す貸出玉数設定画面を表示して、遊技媒体であるパチンコ玉の単価である玉単価と消費税率とともに、複数の識別金額と、これら複数の識別金額の各々に対して設定される貸出玉数と、当該貸出玉数の貸与（貸出）によって生じる過不足金額を負担する負担者とその負担額とを受付ける貸出玉数設定内容受付け処理を実施し、該貸出玉数設定内容受付け処理によって本発明における設定内容受付け手段が形成されている。
【０１５１】
また、本実施例３のホールコンピュータ１５０のＣＰＵ１５２は、前記貸出玉数設定内容受付け処理によって図１８に示す貸出玉数設定画面にて受付けた遊技媒体の単価である玉単価と、消費税率とを、前記貸出玉数テーブルに記憶する単価情報記憶処理を実施し、該単価情報記憶処理によって本発明における単価情報記憶手段が形成されている。
【０１５２】
また、本実施例３のホールコンピュータ１５０のＣＰＵ１５２は、前記貸出玉数設定内容受付け処理における図１８に示す貸出玉数設定画面にて受付けられることで、各現金ユニット３５０にて設定されることとなる複数の識別金額と、該複数の識別金額の各々に対する貸出玉数、並びに負担者とその負担額とを、貸出玉数テーブルに記憶する貸出玉数記憶処理を実施する。
【０１５３】
また、本実施例３のホールコンピュータ１５０のＣＰＵ１５２は、前記貸出玉数設定内容受付け処理によって図１８に示す貸出玉数設定画面にて受付けられて、前記貸出玉数記憶処理によって貸出玉数テーブルに記憶されている記憶内容、具体的には、各識別金額と各識別金額に対応する貸出玉数とを貸出玉数設定データとして各現金ユニット３５０に配信する貸出玉数設定データ配信処理を実施し、該貸出玉数設定データ配信処理によって本発明における設定内容配信手段が形成されている。
【０１５４】
また、本実施例３のホールコンピュータ１５０のＣＰＵ１５２は、前記制御ユニット３８０が実施する貸出不全情報送信処理によって送信される貸出不全情報の受信に基づいて、該貸出不全情報に含まれる装置ＩＤから特定されるＭＡＣアドレスに対応付けて、該貸出不全情報に含まれる各情報を記憶するとともに、交換後の現金ユニット３５０の制御ユニット３８０が実施する交換情報送信処理によって送信される交換情報の受信に基づいて、当該交換情報に含まれる装置ＩＤから特定されるＭＡＣアドレスに対応付けて記憶している未払出玉数を特定し、当該特定した未払出玉数を含み、当該未払出玉数の払出を指示する払出指示を、該交換情報を送信してきた交換後の現金ユニット３５０に対して送信（返信）する払出指示送信処理を実施する。
【０１５５】
以下、本実施例３の遊技用システムにおける処理状況について、図２１並びに図２２に基づいて説明する。
【０１５６】
まず、ホールコンピュータ１５０の前記貸出玉数設定内容受付け処理において図１８に示す貸出玉数設定画面にて受付けた設定内容が、現金ユニット３５０に配信されて設定される流れを図２２に基づいて説明すると、まず、各現金ユニット３５０に新たな設定内容を記憶させて設定を実施させたい場合には、ホールコンピュータ１５０において所定操作を実施することにより表示装置１５７に図１８に示す貸出玉数設定画面を表示させる。
【０１５７】
この本実施例の貸出玉数設定画面には、図１８に示すように、その上部位置には、１球のパチンコ玉の貸出に要する玉単価を選択入力するための玉単価選択入力部と、消費税率を選択入力するための消費税率選択入力部とが設けられているとともに、その下方位置には、現金ユニット３５０にて受付け可能な各金種に基づく識別金額（本実施例３では１００円、５００円、１０００円の３種）を設定するための識別金額１〜５の識別金額選択入力部と、これら各識別金額選択入力部に対応付けて、当該識別金額選択入力部にて選択入力された識別金額において貸与（貸出）する貸出玉数を選択入力するための貸出玉数選択入力部と、当該貸出玉数の貸与（貸出）によって生じる過不足金額を負担する負担者を選択入力するための負担者選択入力部と、該負担者が負担する負担額を選択入力するための負担額選択入力部とが設けられていて、これら貸出玉数の選択入力部には、各識別金額において負担者が負担する負担額ができるだけ少なくなるように貸出玉数を設定すれば良い。
【０１５８】
具体的には、例えば１０００円の識別金額であれば、玉単価である４円に該４円に相当する消費税額である０．２円を加えた４．２円で該１０００円を除した場合には、２３８．０９…玉となり、少数点未満を切り上げて２３９玉とすると、該２３９玉の貸出では３．８円（２３９玉×４．２円−１０００円＝３．８円）を遊技場側が負担する必要が生じるのに対し、２３８玉の貸出とすることで、遊技者が０．４円（２３８玉×４．２円−１０００円＝−０．４円）のみを負担するのみで良くなることから、より負担者の負担が少なくなる２３８玉を設定するようにすれば良く、同様に、５００円においても、該５００円を４．２円で除した場合には、１１９.０４…玉となり、少数点未満を切り上げて１２０玉とすると、該１２０玉の貸出では４円を遊技場側が負担する必要が生じるのに対し、１１９玉の貸出とすることで、遊技者が０．２円のみを負担するのみで良くなることから、より負担者の負担が少なくなる１１９玉を設定するようにすれば良く、このようにして貸出玉数と負担者並びに負担額を選択入力していき、全ての内容を選択入力した後に、貸出玉数設定画面の下方に設けられている「登録」の選択入力部を選択入力する。尚、本実施例では、貸出玉数設定画面において玉単価、消費税率を選択入力すると、ホールコンピュータ１５０のＣＰＵ１５２が、これら選択入力された情報に基づいて、上記のような演算を実施することで、負担額が少なくなるように貸出玉数、負担額が算出されて、貸出玉数選択入力部、負担者選択入力部並びに負担額選択入力部に自動的に選択入力される。
【０１６１】
該「登録」の選択入力部の選択入力に基づいてホールコンピュータ１５０のＣＰＵ１５２は、該貸出玉数設定画面にて入力された各内容を、貸出玉数テーブルの対応する項目に記憶するとともに、該貸出玉数テーブルの記憶内容の内、各識別金額と各識別金額に対応する貸出玉数とを貸出玉数設定データとして各現金ユニット３５０に配信する。
【０１６２】
この貸出玉数設定データの配信に基づいて現金ユニット３５０の制御ユニット３８０は、受信した貸出玉数設定データをＲＡＭ３８３に更新記憶することで、識別金額並びに、当該識別金額により貸与処理にて貸与（貸出）するパチンコ玉数（貸出玉数）を設定するようになっており、このようにすることで、各現金ユニット３５０毎に各識別金額と各識別金額に対応する貸出玉数とを入力して設定する手間と労力を大幅に低減できる。
【０１６３】
尚、このようにしてＲＡＭ３８３に記憶された貸出玉数設定データは、一日に１回、現金ユニット３５０の起動時において、制御ユニット３８０が自己の装置ＩＤを含む接続確認情報をホールコンピュータ１５０に送信することで、該接続確認情報を受信したホールコンピュータ１５０のＣＰＵ１５２は、ユニット別データテーブルにおいて、受信した接続確認情報に含まれる装置ＩＤに対応する「状況」の項目のデータを、オフラインからオンラインに更新するとともに、その時点において貸出玉数テーブルに記憶されている記憶内容の内、各識別金額と各識別金額に対応する貸出玉数とを貸出玉数設定データとして、接続確認情報を送信してきた現金ユニット３５０に対して配信（返信）することにより、該貸出玉数設定データの配信（返信）に基づいて現金ユニット３５０の制御ユニット３８０によって、受信した貸出玉数設定データに更新記憶されるようになっており、このようにすることで、例えば、何らかの障害により、貸出玉数設定データが壊れている場合や、不正に改竄されている場合にも、毎日、正しい設定が確実に実施されるようになり、これら貸出玉数設定データの障害による不都合の発生を、未然に防止することができる。
【０１６４】
このようにして、貸出玉数設定データの更新記憶が完了した現金ユニット３５０に、遊技者が遊技をするために、現金、例えば５００円硬貨を投入した場合には、図２１に示すように、現金ユニット３５０の硬貨識別ユニット３７２により、当該投入された５００円硬貨が識別されて、該識別結果が制御ユニット３８０に出力されることで、該制御ユニット３８０は、当該出力されてきた識別結果から識別金額が５００円であると特定し、該特定した識別金額である５００円を、図２０に示すように、遊技者が確認できるように、所定時間に亘って金額・未払出玉数表示部３６１に表示する。
【０１６５】
そして、金額・未払出玉数表示部３６１に表示した該識別金額である５００円に対応する貸出玉数を、前記ＲＡＭ３８３に記憶されている貸出玉数設定データから、１１９玉であると特定し、該特定した貸出玉数である１１９玉を金額・未払出玉数表示部３６１に表示するとともに、該特定した貸出玉数である１１９玉に相当する信号この場合、本実施例では１１９個のパルス信号）を、球切り払出ユニット３７３に対して出力することで、球切り払出ユニット３７３においてパチンコ玉の払出が開始される。
【０１６６】
この球切り払出ユニット３７３におけるパチンコ玉の払出に応じて該球切り払出ユニット３７３からは、１玉のパチンコ玉の払出毎に１パルスの信号が出力されるようになっており、該１パルスの信号が入力されることに基づいて制御ユニット３２８は、該１パルスの信号の入力毎に１玉毎、金額・未払出玉数表示部３６１に表示されている玉数（未払出玉数）の表示を減算更新するとともに、該金額・未払出玉数表示部３６１の玉数の表示が０となったか、或いは所定時間に亘り更新されていないか、つまり、球切り払出ユニット３７３からの払出に伴う信号の出力が所定時間に亘り出力されていないかを監視する。
【０１６７】
金額・未払出玉数表示部３６１の玉数（未払出玉数）の表示が０となった場合（実際には、ＲＡＭ３８３に記憶している未払出玉数が０となった場合）に制御ユニット３８０は、不具合なく払出が完了したものと判断して、当該貸与（貸出）に供された識別金額をＲＡＭ３８３に記憶されている売上集計データに加算更新記憶して、その当日の売上を集計し、更に、該売上となった識別金額である５００円と自己の装置ＩＤとを含む売上情報をホールコンピュータ１５０に対して送信する。
【０１６８】
この売上情報の送信に応じてホールコンピュータ１５０のＣＰＵ１５２は、該受信した売上情報に含まれる装置ＩＤに対応付けてユニット別データテーブルに記憶されている本日売上金額に、該受信した売上となった識別金額である５００円を加算更新する。そして、当該売上となった識別金額である５００円に対応する貸出玉数と負担者並びに負担額を、貸出玉数テーブルにおいて該５００円に対応して記憶されている貸出玉数（１１９玉）と負担者（遊技者）並びに負担額（０．２円）から特定し、当該特定した貸出玉数（１１９玉）に、貸出玉数テーブルに記憶されている玉単価（４．０円）を乗じた金額である４７６円に貸出玉数テーブルに記憶されている消費税率（５％）を乗じた金額である２３．８円を消費税額に加算更新し、該算出した消費税額である２３．８円を５００円から減じた４７６．２円を税なし売上に加算更新し、該特定した貸出玉数（１１９玉）に対応する負担額（０．２円）を、特定した負担者である遊技者に対応する遊技者負担額に加算更新することでカードユニット別データテーブルを更新する。
【０１６９】
つまり、売上情報から特定される識別金額に対して前記遊技媒体数記憶手段となる貸出玉数テーブルに記憶されている遊技媒体数である貸出玉数と、遊技媒体の単価である玉単価と消費税率とに基づいて、消費税を含まない売上額である税なし売上と、消費税額とを別々に集計するとともに、前記売上情報から特定される識別金額に対して前記遊技媒体数記憶手段となる貸出玉数テーブルに記憶されている遊技媒体数である貸出玉数と、遊技媒体の単価である玉単価と消費税率とに基づいて、遊技場または遊技者の負担となった負担額であるホール負担額と遊技者負担額とを集計する。尚、本実施例においては、ホール負担額と遊技者負担額の集計に関して、該集計する識別金額に対応する負担額を該識別金額に対応して設定されている負担額から算出して集計しているが、これら設定されている負担額も、玉単価と消費税率と貸出玉数とに基づいて予め算出されて設定されていることから、これらホール負担額と遊技者負担額の集計も、玉単価と消費税率と貸出玉数とに基づいて集計すると言える。
【０１７０】
このようにすることで、ユニット別データテーブルにおいて売上となる本日売上金額が、各現金ユニット３５０毎に集計されるようになり、各現金ユニット３５０毎の売上並びに遊技場全体の売上を、ホールコンピュータ１５０にて一元的に把握、管理できるとともに、各現金ユニット３５０毎並びに遊技場全体の消費税額を含まない売上となる税なし売上と消費税額とが別々に集計されるようになり、正確な売上や消費税額を把握できるようになるばかりか、ホール負担額並びに遊技者の負担額が個別に集計されることで、遊技場または遊技者の負担額を把握できるようになり、これらの情報を貸出玉数の設定、例えば遊技者の負担が大きい場合には、ホール負担額が増えるように貸出玉数の設定を変更したり、逆にホール負担額が大きい場合には、遊技者負担額が増えるように貸出玉数の設定を変更する等のように、貸出玉数の設定変更の参考にすることができる。
【０１７１】
一方、球切り払出ユニット３７３からのパチンコ玉の払出中に、該払出に伴う信号の出力が所定時間に亘り出力されていない場合には、制御ユニット３８０により、パチンコ玉の払出において不具合が発生したことが検出され、該制御ユニット３８０は動作ＬＥＤユニット３５１の発光態様をエラー発生の発行態様（赤の点滅点灯）にしてエラーの発生を報知するとともに、その時点において金額・未払出玉数表示部３６１に表示されているパチンコ玉数を未払出玉数として特定し、該特定した未払出玉数と自己の装置ＩＤ、当該貸出に供された識別金額（５００円）とを含む貸出不全情報をホールコンピュータ１５０に送信する。
【０１７２】
この貸出不全情報を受信したホールコンピュータ１５０は、該受信した貸出不全情報に含まれる装置ＩＤに対応付けてユニット別データテーブルに記憶されているＭＡＣアドレスを特定し、該特定したＭＡＣアドレスに対応付けて該受信した貸出不全情報を記憶する。
【０１７３】
そして、貸出不全情報を送信した現金ユニット３５０は、前記エラーの発生を報知により係員等により、別の現金ユニット３５０に交換され、該交換される新たな現金ユニット３５０は、交換前の不具合を生じた現金ユニット３５０が接続されていた接続口と同一の接続口からＬＡＮに接続されて遊技島に設置され、該設置時において、中止ボタンスイッチ３６２を押圧操作した状態にて起動することで、該交換された現金ユニット３５０の制御ユニット３８０が、交換により設置されたものと判断し、ＬＡＮへの接続口となるＨＵＢ９’の接続口のＭＡＣアドレス、つまりは交換前のカードユニット３の装置ＩＤに対応付けてユニット別データテーブルに記憶されているＭＡＣアドレスと同一となるＭＡＣアドレスをＨＵＢ９’から取得し、該取得したＭＡＣアドレスと装置ＩＤと交換された旨とを含む交換情報をホールコンピュータ１５０に送信する。
【０１７４】
この交換情報を受信したホールコンピュータ１５０のＣＰＵ１５２は、該受信した交換情報に含まれるＭＡＣアドレスに対応付けて記憶されている貸出不全情報に含まれる装置ＩＤに対応付けてユニット別データテーブルに記憶されている「状況」をオフラインに更新し、ＭＡＣアドレスの項目のデータを消去するとともに、該受信した交換情報に含まれる装置ＩＤをユニット別データテーブルに追加登録し、該装置ＩＤに対応する設置島並びに対応台番号に、前記交換された現金ユニット３５０の記憶情報と同一の情報を更新記憶し、「状況」をオンラインに更新、更に、該装置ＩＤに対応するＭＡＣアドレスの項目に受信した交換情報に含まれるＭＡＣアドレスを記憶してユニット別データテーブルを更新する。
【０１７５】
そして、ホールコンピュータ１５０のＣＰＵ１５２は、該受信した交換情報に含まれるＭＡＣアドレスに対応付けて記憶されている貸出不全情報に含まれる未払出玉数から交換された現金ユニット３５０に対して払出を指示する未払出玉数を特定し、該特定した未払出玉数を含み、該未払出玉数のパチンコ玉の払出を指示する払出指示を、交換情報の送信元の現金ユニット３５０に送信する。
【０１７６】
この払出指示の受信に基づいて制御ユニット３８０は、該受信した払出指示に含まれる未払出玉数、例えば未払出玉数が５０玉であれば、通常のパチンコ玉の貸与処理と同様に、５０玉に相当する信号（パルス）を、球切り払出ユニット３７３に対して出力することで、球切り払出ユニット３７３から該未払出玉数である５０玉の払出が開始される。尚、この未払出玉数の払出においても、払出に応じて球切り払出ユニット３７３から出力される１玉毎のパルスを計数（５０玉から減算）して、全ての未払出玉数が払い出されたかを制御ユニット３８０が監視する。
【０１７７】
これら未払出玉数の払出が完了した場合に制御ユニット３８０は、自己の装置ＩＤと払出が完了した旨とを含む未払出玉数貸出完了情報をホールコンピュータ１５０に送信することで、該未払出玉数貸出完了情報を受信したホールコンピュータ１５０のＣＰＵ１５２が、当該受信した未払出玉数貸出完了情報に含まれる装置ＩＤに対応付けてユニット別データテーブルに記憶されているＭＡＣアドレスを特定し、該特定したＭＡＣアドレスに対応付けて記憶している貸出不全情報に含まれる装置ＩＤに対応付けてユニット別データテーブルに記憶されている本日売上金額に、該貸出不全情報含まれる識別金額である５００円を加算更新するとともに、当該識別金額である５００円に対応する貸出玉数と負担者並びに負担額を、貸出玉数テーブルにおいて該識別金額である５００円に対応して記憶されている貸出玉数（１１９玉）と負担者（遊技者）並びに負担額（０．２円）を特定し、当該特定した貸出玉数（１１９玉）に、貸出玉数テーブルに記憶されている玉単価（４．０円）を乗じた金額である４７６円に貸出玉数テーブルに記憶されている消費税率（５％）を乗じた金額である２３．８円を消費税額に加算更新し、該算出した消費税額である２３．８円を５００円から減じた４７６．２円を税なし売上に加算更新し、該特定した貸出玉数（１１９玉）に対応する負担額（０．２円）を、特定した負担者である遊技者に対応する遊技者負担額に加算更新することでユニット別データテーブルを更新した後、該ＭＡＣアドレスに対応付けて記憶している貸出不全情報を消去する。
【０１７８】
このようにしてユニット別データテーブルにて集計された各現金ユニット３５０における売上となる本日売上金額は、予め設定されている所定時間毎、例えば２時間毎に、ホールコンピュータ１５０のＣＰＵ１５２により特定され、該本日売上金額を含む照合要求が各現金ユニット３５０に対して送信される。尚、本実施例３では、照合要求の送信タイミングを２時間毎としているが、本発明はこれに限定されるものではなく、これらの送信タイミングを、営業終了後に１回のみ実施するようにしても良く、これら照合要求の送信タイミングは、遊技場に設置されている現金ユニット３５０の台数等から適宜に選択すれば良い。
【０１７９】
この照合要求の受信に応じて制御ユニット３８０は、該受信した照合要求に含まれる本日使用度数と、ＲＡＭ３８３に記憶している売上集計データにて集計されているその当日における売上金額とを比較照合し、該照合した結果（一致、または不一致）と装置ＩＤとを含む照合結果をホールコンピュータ１５０に返信する。
【０１８０】
この照合結果の受信に基づいてホールコンピュータ１５０のＣＰＵ１５２は、照合結果が不一致の内容を含むものであれば、新規の貸出を不能化する旨の不能化指示を、該不一致の内容を含む照合結果の送信元の現金ユニット３５０に返信することで、該不能化指示を受信した制御ユニット３８０は、新たな貨幣の受付けを不可とすることで、新たな貸与処理を不能化するようにしており、このようにすることで、ホールコンピュータ１５０にて管理されている売上と、現金ユニット３５０にて集計して記憶されている売上とが照合されることで、売上の信頼性を確保でき、しかも、現金ユニット３５０における度数の使用毎や貨幣の受付け毎にこれらの照合が実施されないので、パチンコ玉の貸出に要する時間も短縮できる。
【０１８１】
以上、本実施例３によれば、消費税の徴収を実施する場合のパチンコ玉の貸出において、複数の識別金額の各々に対して、遊技場の負担或いは遊技者の負担を低減できる貸出玉数を設定できるので、１００円の単位に対して一義的に貸出玉数を例えば２４玉とした場合に比較して、例えば５００円の貸出であれば、該２４玉の５倍の１２０玉を貸し出す場合には、遊技場側の負担が４円にもなるのに対し、本実施例３では、５００円に対して貸し出す貸出玉数を１１９玉とすることで、遊技者が０．２円を負担するのみで良く、よって遊技場の負担或いは遊技者の負担を低減することができるばかりか、管理装置であるホールコンピュータ１５０において、消費税額を含まない売上額となる税なし売上と消費税額とが別々に集計されるので、遊技場が正確な売上や消費税額を把握でき、正確な消費税の申告が可能となる。
【０１８２】
さらに、遊技者或いは遊技場が一律に負担をする場合、例えば一律に遊技者負担とした場合で、１００円で２３玉を貸与する設定において、従来では５００円で１１５玉の貸与となり、１１５玉×４．２円−５００円＝１７円で１７円を遊技者が負担するのに対し、５００円に対して１１９玉を設定することで、１１９玉×４．２円−５００円＝０．２円が遊技者の負担となり、遊技者の負担を低減でき、逆に一律に遊技場負担とした場合で、１００円で２４玉を貸与する設定において、従来では１０００円で２４０玉の貸与となり、２４０玉×４．２円−１０００円＝−８円で８円を遊技場が負担するのに対し、１０００円に対して２３９玉を設定することで、２３９玉×４．２円−５００円＝−３．８円が遊技場の負担となり、遊技場の負担を低減できる。
【実施例４】
【０１８３】
本実施例４の遊技用装置並びに該遊技用装置を含む遊技用システムの特徴としては、前記実施例３の遊技用システムにおいては、予め現金ユニット３５０における識別金額において貸与（貸出）する貸出玉数をホールコンピュータ１５０にて入力することで、各現金ユニット３５０に配信されて制御ユニット３８０のＲＡＭ３８３内に記憶されることで設定されるようになっているのに対し、本実施例４では、貸出玉数ではなく、玉単価と消費税率と、１玉未満の玉数の処理内容（四捨五入や、切り捨て、切り上げ）である小数点未満玉数の情報をホールコンピュータ１５０にて入力して、各現金ユニット３５０に配信して設定し、これらの玉単価と消費税率と、１玉未満の玉数の処理内容とに基づいて、各識別金額において貸与（貸出）する貸出玉数を現金ユニット３５０の制御ユニット３８０が算出する点であり、その他のシステム構成等は、前記実施例３の遊技用システムと同一であることから、同一である部分の説明は省略するものとし、前記実施例３からの変更点となる本実施例４の特徴部分について、図２３〜図２５に基づいて以下に説明する。
【０１８４】
まず、本実施例４の遊技用システムに用いた現金ユニット３５０は、構成は前記実施例３の現金ユニット３５０と同一とされているが、その処理内容として本実施例４の制御ユニット３８０は、本実施例４のホールコンピュータ１５０から送信される消費税率を含む貸出玉数データの受信に基づいて、該受信した貸出玉数データをＲＡＭ３８３に更新記憶することで設定する貸出玉数データ記憶処理を実施し、該貸出玉数データ記憶処理によって本発明における設定手段が形成されている。
【０１８５】
また、本実施例４の制御ユニット３８０は、前記貸出玉数データにて設定されている、後述する図２３に示す貸出玉数設定画面にて受付けられた消費税率と、玉単価と、小数点未満玉数の内容とに基づいて、受付けた貨幣の識別金額により貸与処理において貸与（貸出）すべきパチンコ玉数である貸出玉数を算出する算出処理を実施し、該算出処理によって本発明の算出手段が形成されている。
【０１８６】
また、本実施例４の制御ユニット３８０は、前記貸与処理において前記算出処理によって算出された貸出玉数に相当する信号（パルス）を、球切り払出ユニット３７３に対して出力することで、該算出された貸出玉数のパチンコ玉を球切り払出ユニット３７３から払い出して貸与（貸出）する。
【０１８７】
また、本実施例４の遊技用システムに用いたホールコンピュータ１５０は、構成は前記実施例３のホールコンピュータ１５０と同一とされているが、前記実施例３における図１９（ａ）の貸出玉数テーブルに代えて、図２４に示すように、図２３に示す本実施例４における貸出玉数設定画面にて入力される各種の情報を記憶するために、玉単価が記憶される玉単価の項目と、消費税率が記憶される消費税率の項目と、当該玉単価と消費税率とから算出される各識別金額に対応する貸出玉数の１玉未満の玉数の処理内容、具体的には四捨五入や、切り捨て、切り上げの内容が記憶される小数点未満玉数の項目とともに、図２３に示す貸出玉数設定画面にて受付けた各識別金額に対応付けて、該貸出玉数設定画面にて受付けた玉単価と消費税率とから算出される各識別金額に対応する貸出玉数と、当該貸出玉数を貸与した場合に生じる過不足金額を負担する負担者、具体的には遊技場（ホール）または遊技者のいずれかと、その負担額とが記憶されている。尚、貸出玉数としては、具体的には、玉単価として４．０円が、消費税率として５％が、小数点未満玉数の内容として四捨五入が設定されている場合には、玉単価である４．０円に、該玉単価である４．０円に消費税率である５％を乗じた消費税額である０．２円を加えた４．２円にて、各識別金額である１００円、５００円、１０００円を除した２３．８０…、１１９.０４…、２３８．０９…の小数点未満玉数を四捨五入することで、識別金額１００円に対する貸出玉数は２４玉、識別金額５００円に対する貸出玉数は１１９玉、識別金額１０００円に対する貸出玉数は２３８玉であると算出して、各識別金額の貸出玉数として記憶し、これら貸出玉数は、後述する制御ユニット３８０が実施する算出処理にて算出される各識別金額の貸出玉数と同一とされている。
【０１８８】
また、本実施例４のホールコンピュータ１５０のＣＰＵ１５２は、所定の操作に基づいて、表示装置１５７に、図２３に示す貸出玉数設定画面を表示して、遊技媒体であるパチンコ玉の単価である玉単価と、消費税率と、当該玉単価と消費税率とから算出される各識別金額に対応する貸出玉数の１玉未満の玉数の処理内容、具体的には四捨五入や、切り捨て、切り上げの内容である小数点未満玉数とともに、複数の識別金額と、これら複数の識別金額の各々に対して、前記玉単価と消費税率と小数点未満玉数の内容とから算出される各識別金額に対応する貸出玉数の貸出によって生じる過不足金額を負担する負担者とその負担額とを受付ける貸出玉数設定内容受付け処理を実施し、該貸出玉数設定内容受付け処理によって本発明における消費税率受付け手段が形成されている。
【０１８９】
また、本実施例４のホールコンピュータ１５０のＣＰＵ１５２は、前記貸出玉数設定内容受付け処理によって図２３に示す貸出玉数設定画面にて受付けた遊技媒体の単価である玉単価と、消費税率とを、前記貸出玉数テーブルに記憶する単価情報記憶処理を実施し、該単価情報記憶処理によって本発明における単価情報記憶手段が形成されている。
【０１９０】
また、本実施例４のホールコンピュータ１５０のＣＰＵ１５２は、前記貸出玉数設定内容受付け処理によって図２３に示す貸出玉数設定画面にて受付けることで、各現金ユニット３５０にて設定されることとなる消費税率と、玉単価と、小数点未満玉数の内容とから算出される識別金額の各々に対する貸出玉数、並びに該貸出玉数設定画面にて受付けた識別金額の各々に対する負担者とその負担額とを、貸出玉数テーブルに記憶する貸出玉数記憶処理を実施する。
【０１９１】
また、本実施例のホールコンピュータ１５０のＣＰＵ１５２は、前記貸出玉数設定内容受付け処理において図２３に示す貸出玉数設定画面にて受付けられて、前記単価情報記憶処理並びに貸出玉数記憶処理によって貸出玉数テーブルに記憶されている記憶内容、具体的には、消費税率と、玉単価と、小数点未満玉数の内容と、各識別金額とを貸出玉数データとして各現金ユニット３５０に配信する貸出玉数設定データ配信処理を実施し、該貸出玉数設定データ配信処理によって本発明における消費税率配信手段が形成されている。
【０１９２】
以下、本実施例４の遊技用システムにおける処理状況として、まず、ホールコンピュータ１５０の前記貸出玉数設定内容受付け処理において図２３に示す貸出玉数設定画面にて受付けた設定内容が各現金ユニット３５０に配信されて設定される流れについて簡潔に説明すると、これらの処理の状況は、ほぼ実施例３の遊技用システムにおける図２２の処理内容と同様とされており、各現金ユニット３５０に新たな設定内容を記憶させて設定を実施させたい場合には、ホールコンピュータ１５０において所定操作を実施することにより表示装置１５７に図２３に示す貸出玉数設定画面を表示させる。
【０１９３】
この本実施例の貸出玉数設定画面には、図２３に示すように、その上部位置には、１球のパチンコ玉の貸出に要する玉単価を選択入力するための玉単価選択入力部と、消費税率を選択入力するための消費税率選択入力部と、当該玉単価と消費税率とから算出される各識別金額に対応する貸出玉数の１玉未満の玉数の処理内容、具体的には四捨五入や、切り捨て、切り上げの内容を選択入力するための小数点未満玉数選択入力部とが設けられているとともに、その下方位置には、現金ユニット３５０にて識別される各識別金額（本実施例４では最大で５つ）を設定するための識別金額１〜５の識別金額選択入力部と、これら各識別金額選択入力部に対応付けて、これら複数の識別金額の各々に対して、前記玉単価選択入力部並びに消費税率選択入力部と小数点未満玉数選択入力部にて選択入力された玉単価と消費税率と小数点未満玉数の内容とから算出される各識別金額に対応する貸出玉数の貸出によって生じる過不足金額を負担する負担者を選択入力するための負担者選択入力部と、該負担者が負担する負担額を選択入力するための負担額選択入力部とが設けられていて、全ての内容を選択入力した後に、貸出玉数設定画面の下方に設けられている「登録」の選択入力部を選択入力する。
【０１９４】
該「登録」の選択入力部を選択入力に基づいてホールコンピュータ１５０のＣＰＵ１５２は、該貸出玉数設定画面にて入力された各内容を、貸出玉数テーブルの対応する項目に記憶するとともに、該貸出玉数テーブルの記憶内容の内、玉単価と消費税率と小数点未満玉数と各識別金額とを貸出玉数データとして各現金ユニット３５０に配信する。
【０１９５】
この貸出玉数データの配信に基づいて現金ユニット３５０の制御ユニット３８０は、受信した貸出玉数データをＲＡＭ３８３に更新記憶することで、識別金額並びに消費税率を設定するようになっており、このようにすることで、各現金ユニット３５０毎に各識別金額と消費税率を設定する手間と労力を大幅に低減できる。
【０１９６】
また、これらＲＡＭ３８３に記憶されている貸出玉数データは、前記実施例３の場合と同様に、一日に１回、現金ユニット３５０の起動時において、ホールコンピュータ１５０から配信される貸出玉数データに更新されることで、例えば、何らかの障害により、貸出玉数データが壊れている場合や、不正に改竄されている場合にも、毎日、正しい設定が確実に実施されるようになり、これら貸出玉数データの障害による不都合の発生を、未然に防止することができる。
【０１９７】
このようにして、貸出玉数データの更新記憶が完了した現金ユニット３５０に、遊技者が遊技をするために、現金、例えば５００円硬貨を投入した場合には、図２５に示すように、現金ユニット３５０の硬貨識別ユニット３７２により、当該投入された５００円硬貨が識別されて、該識別結果が制御ユニット３８０に出力されることで、該制御ユニット３８０は、当該出力されてきた識別結果から識別金額が５００円であると特定し、該特定した識別金額である５００円を、図２０に示すように、遊技者が確認できるように、所定時間に亘って金額・未払出玉数表示部３６１に表示する。
【０１９８】
そして、金額・未払出玉数表示部３６１に表示した該識別金額である５００円に対応する貸出玉数を、前記ＲＡＭ３８３に記憶されている貸出玉数設定データに含まれる消費税率と、玉単価と、小数点未満玉数の内容とに基づいて、貸与処理において貸与すべきパチンコ玉数である貸出玉数を算出する。具体的には、例えば識別金額が５００円であって、図２３に示すように、玉単価として４．０円が、消費税率として５％が、小数点未満玉数の内容として四捨五入が設定されている場合には、玉単価である４．０円に、該玉単価である４．０円に消費税率である５％を乗じた消費税額である０．２円を加えた４．２円にて、識別金額である５００円を除した１１９.０４…玉の小数点未満玉数を四捨五入することで、貸出玉数は１１９玉であると算出し、該算出した貸出玉数である１１９玉を金額・未払出玉数表示部３６１に表示するとともに、該特定した貸出玉数である１１９玉に相当する信号（パルス）を、球切り払出ユニット３７３に対して出力することで、球切り払出ユニット３７３においてパチンコ玉の払出が開始され、前記実施例３と同様に、球切り払出ユニット３７３から１玉のパチンコ玉の払出毎に出力される１パルスの信号に基づいて金額・未払出玉数表示部３６１の玉数の表示１玉毎に減算更新するとともに、該金額・未払出玉数表示部３６１の玉数の表示が０となったか、或いは所定時間に亘り更新されていないか、つまり、球切り払出ユニット３７３からの払出に伴う信号の出力が所定時間に亘り出力されていないかを監視する。
【０１９９】
そして、金額・未払出玉数表示部３６１の玉数の表示が０となった場合に制御ユニット３８０は、不具合なく払出が完了したものと判断して、当該貸与（貸出）に供された識別金額をＲＡＭ３８３に記憶されている売上集計データに加算更新記憶して、その当日の売上を集計し、更に、該売上となった識別金額である５００円と自己の装置ＩＤとを含む売上情報をホールコンピュータ１５０に対して送信する。
【０２００】
この売上情報の送信に応じてホールコンピュータ１５０のＣＰＵ１５２は、該受信した売上情報に含まれる装置ＩＤに対応付けてユニット別データテーブルに記憶されている本日売上金額に、該受信した売上となった識別金額である５００円を加算更新する。そして、当該売上となった識別金額である５００円に対応する貸出玉数と負担者並びに負担額を、貸出玉数テーブルにおいて該５００円に対応して記憶されている貸出玉数（１１９玉）と負担者（遊技者）並びに負担額（０．２円）から特定し、当該特定した貸出玉数（１１９玉）に、貸出玉数テーブルに記憶されている玉単価（４．０円）を乗じた金額である４７６円に貸出玉数テーブルに記憶されている消費税率（５％）を乗じた金額である２３．８円を消費税額に加算更新し、該算出した消費税額である２３．８円を５００円から減じた４７６．２円を税なし売上に加算更新し、該特定した貸出玉数（１１９玉）に対応する負担額（０．２円）を、特定した負担者である遊技者に対応する遊技者負担額に加算更新することでユニット別データテーブルを更新する。
【０２０１】
尚、本実施例では、ホールコンピュータ１５０の図２４に示す貸出玉数テーブルにおいて、貸出玉数、負担者、負担額を予め算出して記憶するようにしているが、本発明はこれに限定されるものではなく、ホールコンピュータ１５０においては、玉単価、消費税率、小数点未満玉数のデータのみを記憶しておき、これら玉単価、消費税率、小数点未満玉数のデータに基づいて、売上情報にの受信に応じ、該売上情報にに含まれる識別金額に相当する貸出玉数、負担者、負担額を算出するとともに、これら算出した貸出玉数、負担者、負担額を用いて税なし売上に加算する金額や、消費税額や遊技場（ホール）または遊技者の負担額に加算する金額を算出して集計するようにしても良い。
【０２０２】
一方、球切り払出ユニット３７３からのパチンコ玉の払出中に、該払出に伴う信号の出力が所定時間に亘り出力されていない場合には、制御ユニット３８０により不具合の発生が検出されることで、前記実施例３と同様に、該制御ユニット３８０は動作ＬＥＤユニット３５１の発光態様にてエラーの発生を報知するとともに、貸出不全情報をホールコンピュータ１５０に送信することで、ホールコンピュータ１５０において該貸出不全情報が当該貸出不全情報を送信した現金ユニット３５０の装置ＩＤに対応してユニット別データテーブルに記憶されているＭＡＣアドレスに対応付けて記憶され、該不具合を生じた現金ユニット３５０に代えて設置された交換後の現金ユニット３５０から、前記実施例３と同様に交換情報がホールコンピュータ１５０に送信されることで、該ホールコンピュータ１５０から払出指示が当該交換後の現金ユニット３５０に送信されることで、未払出玉数が確実に払い出されるようになっている。
【０２０３】
以上、本実施例４によれば、消費税の徴収を実施する場合のパチンコ玉の貸出において、設定されている消費税率や、玉単価、小数点未満玉数の内容とに基づいて、複数の各識別金額にて貸与する貸出玉数が算出されるようになり、１００円の単位に対して一義的に貸出玉数を例えば２４玉とした場合に比較して、５００円の貸出であれば、該２４玉の５倍の１２０玉を貸し出す場合には、遊技場側の負担が４円にもなるのに対し、本実施例４では、５００円に対して貸し出す貸出玉数が１１９玉として算出されるようになるので、遊技者が０．２円を負担するのみで良く、よって遊技場の負担或いは遊技者の負担を低減することができるばかりか、管理装置であるホールコンピュータ１５０において、消費税額を含まない売上額となる税なし売上と消費税額とが別々に集計されるので、遊技場が正確な売上や消費税額を把握でき、正確な消費税の申告が可能となる。
【０２０４】
さらに、遊技者或いは遊技場が一律に負担をする場合、例えば一律に遊技者負担とした場合で、１００円で２３玉を貸与する設定において、従来では５００円で１１５玉の貸与となり、１１５玉×４．２円−５００円＝１７円で１７円を遊技者が負担するのに対し、５００円に対して１１９玉を算出することで、１１９玉×４．２円−５００円＝０．２円が遊技者の負担となり、遊技者の負担を低減でき、逆に一律に遊技場負担とした場合で、１００円で２４玉を貸与する設定において、従来では１０００円で２４０玉の貸与となり、２４０玉×４．２円−１０００円＝−８円で８円を遊技場が負担するのに対し、１０００円に対して２３９玉を算出することで、２３９玉×４．２円−５００円＝−３．８円が遊技場の負担となり、遊技場の負担を低減できる。
【０２０５】
以上、本発明の実施例を図面により説明してきたが、具体的な構成はこれら実施例に限られるものではなく、本発明の要旨を逸脱しない範囲における変更や追加があっても本発明に含まれる。
【０２０６】
例えば、前記各実施例では、貸出玉数や消費税率の設定を、管理装置であるシステムコントローラ１００やホールコンピュータ１５０から実施するようにしているが、本発明はこれに限定されるものではなく、これらの設定を各カードユニット３や現金ユニット３５０に、例えば、図２６に示すようなロータリースイッチを設けて、各単位度数に対応する貸出玉数を、１００の位、１０の位、１の位に対応するロータリースイッチを対応する貸出玉数の数値に設定することで、個々に設定するようにしても良いし、更には、これらの各単位度数に対応する貸出玉数や消費税率の設定を、例えばカードユニット３が比較的大きな表示パネルを備えるような場合においては、前記システムコントローラ１００やホールコンピュータ１５０に表示される貸出玉数設定画面と同様の設定画面を表示させて設定できるようにしても良い。
【０２０７】
また、前記実施例１と実施例２では、パチンコ玉の貸出を対応するパチンコ機２から実施するようにしているが、本発明はこれに限定されるものではなく、これらのパチンコ玉の貸出を実施例３の現金ユニット３５０のように、カードユニット３にて払い出して対応するパチンコ機２に供給するようにしても良い。
【０２０８】
また、前記実施例３並びに実施例４では、現金ユニット３５０から対応するパチンコ機２’にパチンコ玉を供給するようにしているが、本発明はこれに限定されるものではなく、これらパチンコ玉を、実施例１や実施例２のように、対応するパチンコ機２に払出指示を出力して該パチンコ機２から払い出す（貸与）するようにしても良い。
【０２０９】
また、前記各実施例では、貸出玉数の払出に基づいて発生する玉単価と該玉単価に対応する消費税額との合計額未満の過不足金額を遊技場または遊技者が必ず負担するようにしているが、本発明はこれに限定されるものではなく、該過不足金額をプリペイドカードに記録しておき、これら過不足金額が所定額、例えば１円や１０円以上となった場合に、精算装置２２等において精算できるようにしても良い。
【０２１０】
また、前記各実施例では、管理装置であるシステムコントローラ１００やホールコンピュータ１５０と、遊技用装置であるカードユニット３や現金ユニット３５０とをＬＡＮにて接続していることから、交換に伴う新旧のカードユニット３や現金ユニット３５０の特定や、装着された位置の特定等にＭＡＣアドレスを使用しているが、本発明はこれに限定されるものではなく、これらシステムコントローラ１００やホールコンピュータ１５０と、遊技用装置であるカードユニット３や現金ユニット３５０との接続を、複数の通信ポートを階層的に設けて１対多数の通信を実施するような場合には、これら通信ポートに固有に割り当てられた通信ポートＩＤにて管理するようにしても良く、これら交換に伴う新旧のカードユニット３や現金ユニット３５０の特定に用いる情報は、遊技用システムの接続形態や通信方式等により適宜に選択すれば良い。
【０２１１】
また、前記実施例１や実施例２では、貸出ボタンと貸出単位変更ボタン３０６とを個別に設けるようにしているが、本発明はこれに限定されるものではなく、例えば、１００円（１度数）の貸出ボタンや、３００円（３度数）の貸出ボタン…等を設けることで、これら貸出ボタンと貸出単位変更ボタン３０６とを一体としても良い。
【０２１２】
また、前記実施例２や実施例４では、玉単価と小数点未満玉数の処理内容を選択設定できるようにしているが、本発明はこれに限定されるものではなく、これら玉単価と小数点未満玉数の処理内容を一律に定めたものとしても良く、この場合には、システムコントローラ１００とカードユニット３の双方に、或いはホールコンピュータ１５０と現金ユニット３５０の双方に、これら一律に設定された玉単価と小数点未満玉数の処理内容を記憶して設定しておけば、これら玉単価と小数点未満玉数の処理内容をカードユニット３や現金ユニット３５０に配信しなくても良い。
【０２１３】
また、前記実施例１や実施例２では、貸出単位度数を、システムコントローラ１００において個々に選択設定できるようにしているが、本発明はこれに限定されるものではなく、これら貸出単位度数を一律に定めたものとして、個々に選択設定できないものとしても良く、この場合には、システムコントローラ１００とカードユニット３の双方にこれら一律に設定された貸出単位度数を記憶して設定しておけば、これら貸出単位度数をカードユニット３に配信しなくても良い。
【０２１４】
前記実施例における各要素は、本発明に対して以下のように対応している。
【０２１５】
本発明の請求項１は、遊技機（パチンコ機２）に対応して設けられ、遊技媒体（パチンコ玉）の貸与（貸出）に使用される遊技用価値（度数）の大きさを特定可能な遊技用価値情報（度数、カードＩＤ）が記録された遊技用記録媒体（プリペイドカード）の該遊技用価値情報から特定される遊技用価値を使用して遊技媒体を貸与するための貸与処理を行う貸与処理手段（制御ユニット３２８；貸与処理）を備える遊技用装置（カードユニット３）であって、１回の前記貸与処理において使用される遊技用価値の大きさである単位遊技用価値（単位度数）の大きさを、予め設定されている複数の単位遊技用価値の大きさ（１度数、３度数、５度数、１０度数）のうちから選択するための選択操作を遊技者より受付ける単位遊技用価値選択手段（制御ユニット３２８；単位度数受付け処理）と、前記遊技媒体の貸与単価と消費税率と前記単位遊技用価値選択手段において選択可能とする各単位遊技用価値の大きさを受付ける設定内容受付け手段と、前記受付け手段にて受付けた各単位遊技用価値の大きさについて、前記貸与単価に前記消費税率を乗じた金額を該貸与単価に加算した税込み貸与単価にて、各単位遊技用価値の大きさが相当する金額を除することで得られる値の小数点以下を繰り上げた繰上げ玉数と小数点以下を切捨てた切捨て玉数のそれぞれに前記税込み貸与単価を乗じた金額と、当該単位遊技用価値の大きさが相当する金額との差額に基づいて特定される遊技者或いは遊技場の負担額が、より少ない負担額となる前記繰上げ玉数または前記切捨て玉数のいずれかを、該単位遊技用価値の大きさに対応する貸出遊技媒体数として算出する算出手段と、前記受付け手段にて受付けた各単位遊技用価値の大きさと、前記算出手段にて算出された各単位遊技用価値の大きさに対応する前記貸出遊技媒体数（貸出玉数）を設定する設定手段（制御ユニット３２８；単位度数設定データ記憶処理）と、を備え、前記貸与処理手段は、前記単位遊技用価値選択手段にて遊技者により選択されている単位遊技用価値の大きさに対して前記設定手段において設定されている数の貸出遊技媒体を貸与するための貸与処理を行う。
【０２１６】
本発明の請求項２は、遊技機（パチンコ機２’）に対応して設けられ、貨幣を受付けて、該受付けた貨幣の真贋と貨幣種別とを識別する貨幣識別手段（紙幣識別ユニット３７１、硬貨識別ユニット３７２）と、該貨幣識別手段にて貨幣を受付けたときに、該貨幣識別手段にて識別された識別金額を使用して遊技媒体（パチンコ玉）を貸与するための貸与処理を行う貸与処理手段（制御ユニット３８０；貸与処理）と、を備える遊技用装置（現金ユニット３５０）であって、前記遊技媒体の貸与単価と消費税率と前記貸出処理に使用可能とする各識別金額とを受付ける設定内容受付け手段と、前記受付け手段にて受付けた各識別金額について、前記貸与単価に前記消費税率を乗じた金額を該貸与単価に加算した税込み貸与単価にて、各識別金額を除することで得られる値の小数点以下を繰り上げた繰上げ玉数と小数点以下を切捨てた切捨て玉数のそれぞれに前記税込み貸与単価を乗じた金額と、当該識別金額との差額に基づいて特定される遊技者或いは遊技場の負担額が、より少ない負担額となる前記繰上げ玉数または前記切捨て玉数のいずれかを、該識別金額に対応する貸出遊技媒体数として算出する算出手段と、前記受付け手段にて受付けた各識別金額と、前記算出手段にて算出された各識別金額に対応する前記貸出遊技媒体数（貸出玉数）を設定する設定手段（制御ユニット３８０；貸出玉数設定データ記憶処理）と、を備え、前記貸与処理手段は、前記貨幣識別手段に受付けた貨幣の識別金額に基づいて、当該識別金額に対して前記設定手段において設定されている数の遊技媒体を貸与するための貸与処理を行う。
【０２１９】
本発明の請求項３は、前記貸与処理において貸与した貸出遊技媒体数（パチンコ玉数）を計数するための計数手段（制御ユニット３２８，３８０；払出玉数計数処理）と、前記貸与処理中における不具合の発生を検出する検出手段（制御ユニット３２８，３８０；；不具合検出処理）と、該検出手段により不具合の発生が検出されたときに、前記計数手段により計数した貸与した貸出遊技媒体数と当該貸与処理において貸与されるべき貸出遊技媒体数（貸出玉数）とから未貸与の遊技媒体数を特定し、該特定した未貸与の遊技媒体数を表示する未貸与数表示手段（制御ユニット３２８、制御ユニット３８０；払出玉数計数処理）と、を備える。
【０２２０】
本発明の請求項４は、前記貸与処理に供される前記単位遊技用価値（単位度数）の大きさまたは前記識別金額を特定可能な売上情報（貸出完了情報、売上情報）を、各遊技用装置（カードユニット３，現金ユニット３５０）における売上を管理する管理装置（システムコントローラ１００、ホールコンピュータ１５０）に送信する売上情報送信手段（制御ユニット３２８；貸出完了情報送信処理、制御ユニット３８０；売上情報送信処理）と、前記貸与処理に供される前記単位遊技用価値の大きさまたは前記識別金額を売上として集計して記憶する売上集計記憶手段（制御ユニット３２８；使用度数集計記憶処理、制御ユニット３８０；売上集計記憶処理）と、前記売上情報送信手段から送信される売上情報に基づいて前記管理装置にて管理されている当該遊技用装置の売上を、該管理装置から受信することに応じて、該受信した売上と、前記売上集計記憶手段に記憶されている売上とを比較照合し、当該照合結果を該管理装置に送信する照合処理手段（制御ユニット３２８、制御ユニット３８０；照合処理）と、を備える。
本発明の請求項５は、前記算出手段にて算出された各貸出遊技媒体数について、負担額並びに負担者を各単位遊技用価値の大きさ毎または各識別金額毎に表示する表示手段を備える。
【０２２１】
本発明の請求項６は、遊技機（パチンコ機２）に対応して設けられ、遊技媒体（パチンコ玉）の貸与（貸出）に使用される遊技用価値（度数）の大きさを特定可能な遊技用価値情報（度数、カードＩＤ）が記録された遊技用記録媒体（プリペイドカード）の該遊技用価値情報から特定される遊技用価値を使用して遊技媒体を貸与するための貸与処理を行う貸与処理手段（制御ユニット３２８；貸与処理）を備える遊技用装置（カードユニット３）と、複数の前記遊技用装置に接続され、各遊技用装置における前記貸与処理に供された遊技用価値の大きさを管理する管理装置（システムコントローラ１００）と、から成る遊技用システムであって、前記遊技用装置は、１回の前記貸与処理において使用される遊技用価値の大きさである単位遊技用価値（単位度数）の大きさを、予め設定されている複数の単位遊技用価値の大きさ（１度数、３度数、５度数、１０度数）のうちから選択するための選択操作を遊技者より受付ける単位遊技用価値選択手段（制御ユニット３２８；単位度数受付け処理）と、該単位遊技用価値選択手段により選択ができる複数の単位遊技用価値の大きさと、該単位遊技用価値の大きさの各々に対して、前記貸与処理において貸与される遊技媒体数（貸出玉数）を設定する設定手段（制御ユニット３２８；単位度数設定データ記憶処理）と、を備え、前記貸与処理手段は、前記単位遊技用価値選択手段にて遊技者により選択されている単位遊技用価値の大きさに対して前記設定手段において設定されている数の遊技媒体を貸与するための貸与処理を行い、前記遊技用装置は、該貸与処理に供される単位遊技用価値の大きさを特定可能な売上情報（貸出完了情報）を前記管理装置に送信する売上情報送信手段（制御ユニット３２８；貸出完了情報送信処理）を備え、前記管理装置は、前記遊技媒体の貸与単価と消費税率と前記単位遊技用価値選択手段において選択可能とする各単位遊技用価値の大きさを受付ける設定内容受付け手段と、前記受付け手段にて受付けた各単位遊技用価値の大きさについて、前記貸与単価に前記消費税率を乗じた金額を該貸与単価に加算した税込み貸与単価にて、各単位遊技用価値の大きさが相当する金額を除することで得られる値の小数点以下を繰り上げた繰上げ玉数と小数点以下を切捨てた切捨て玉数のそれぞれに前記税込み貸与単価を乗じた金額と、当該単位遊技用
価値の大きさが相当する金額との差額に基づいて特定される遊技者或いは遊技場の負担額が、より少ない負担額となる前記繰上げ玉数または前記切捨て玉数のいずれかを、該単位遊技用価値の大きさに対応する貸出遊技媒体数として算出する算出手段と、
前記受付け手段にて受付けた遊技媒体の貸与単価（玉単価）および消費税率を特定可能な情報を記憶する単価情報記憶手段（ＣＰＵ１１３；単価情報記憶処理）と、前記受付け手段にて受付けた各単位遊技用価値の大きさと、前記算出手段にて算出された各単位遊技用価値の大きさに対応する前記貸出遊技媒体数（貸出玉数）を記憶する遊技媒体数記憶手段（ＣＰＵ１１３；貸出玉数記憶処理）と、前記受付け手段にて受付けた各単位遊技用価値の大きさと、前記算出手段にて算出された各単位遊技用価値の大きさに対応する前記貸出遊技媒体数とを前記遊技用装置に配信する設定内容配信手段と、を備え、前記売上情報送信手段から送信される売上情報から特定される単位遊技用価値の大きさに対して前記遊技媒体数記憶手段に記憶されている貸出遊技媒体数と、前記単価情報記憶手段に記憶されている遊技媒体の単価および消費税率を特定可能な情報とに基づいて、消費税を含まない売上額（税なし売上）と、消費税額とを別々に集計し、前記設定手段は、前記設定内容配信手段から配信されてくる各単位遊技用価値の大きさと、各単位遊技用価値の大きさに対応する前記貸出遊技媒体数を設定する。
【０２２２】
本発明の請求項７は、遊技機（パチンコ機２’）に対応して設けられ、貨幣を受付けて、該受付けた貨幣の真贋と貨幣種別とを識別する貨幣識別手段（紙幣識別ユニット３７１、硬貨識別ユニット３７２）と、該貨幣識別手段にて貨幣を受付けたときに、該貨幣識別手段にて識別された識別金額を使用して遊技媒体（パチンコ玉）を貸与するための貸与処理を行う貸与処理手段（制御ユニット３８０；貸与処理）と、を備える遊技用装置（現金ユニット３５０）と、複数の前記遊技用装置に接続され、各遊技用装置における前記貸与処理に供された識別金額を管理する管理装置（ホールコンピュータ１５０）と、から成る遊技用システムであって、前記遊技用装置は、前記貨幣識別手段にて識別される複数の識別金額と、該識別金額の各々に対して、前記貸与処理において貸与される貸出遊技媒体数（貸出玉数）を設定する設定手段（制御ユニット３８０；貸出玉数設定データ記憶処理）を備え、前記貸与処理手段は、前記貨幣識別手段に受付けた貨幣の識別金額に基づいて、当該識別金額に対して前記設定手段において設定されている数の遊技媒体を貸与するための貸与処理を行い、前記遊技用装置は、該貸与処理に供される識別金額を特定可能な売上情報を前記管理装置に送信する売上情報送信手段（制御ユニット３８０；売上情報送信処理）を備え、前記管理装置は、前記遊技媒体の貸与単価と消費税率と前記貸出処理に使用可能とする各識別金額とを受付ける設定内容受付け手段と、前記受付け手段にて受付けた各識別金額について、前記貸与単価に前記消費税率を乗じた金額を該貸与単価に加算した税込み貸与単価にて、各識別金額を除することで得られる値の小数点以下を繰り上げた繰上げ玉数と小数点以下を切捨てた切捨て玉数のそれぞれに前記税込み貸与単価を乗じた金額と、当該識別金額との差額に基づいて特定される遊技者或いは遊技場の負担額が、より少ない負担額となる前記繰上げ玉数または前記切捨て玉数のいずれかを、該識別金額に対応する貸出遊技媒体数として算出する算出手段と、前記受付け手段にて受付けた遊技媒体の貸与単価（玉単価）および消費税率を特定可能な情報を記憶する単価情報記憶手段（ＣＰＵ１５２；単価情報記憶処理）と、前記受付け手段にて受付けた各識別金額と、前記算出手段にて算出された各識別金額に対応する前記貸出遊技媒体数（貸出玉数）を記憶する
遊技媒体数記憶手段（ＣＰＵ１５２；貸出玉数記憶処理）と、前記受付け手段にて受付けた各識別金額と、前記算出手段にて算出された各識別金額に対応する前記貸出遊技媒体数とを前記遊技用装置に配信する設定内容配信手段と、を備え、前記売上情報送信手段から送信される売上情報から特定される識別金額に対して前記遊技媒体数記憶手段に記憶されている貸出遊技媒体数と、前記単価情報記憶手段に記憶されている遊技媒体の単価および消費税率を特定可能な情報とに基づいて、消費税を含まない売上額（税なし売上）と、消費税額とを別々に集計し、前記設定手段は、前記設定内容配信手段から配信されてくる各識別金額と、各識別金額に対応する前記貸出遊技媒体数を設定する。
【０２２７】
本発明の請求項８は、前記管理装置（システムコントローラ１００、ホールコンピュータ１５０）は、前記売上情報送信手段（制御ユニット３２８；貸出完了情報送信処理、制御ユニット３８０；売上情報送信処理）から送信される売上情報（貸出完了情報、売上情報）から特定される単位遊技用価値（単位度数）の大きさまたは識別金額に対して前記遊技媒体数記憶手段（ＣＰＵ１１３，ＣＰＵ１５２；貸出玉数記憶処理）に記憶されている貸出遊技媒体数（貸出玉数）および／または前記単価情報記憶手段（ＣＰＵ１１３，ＣＰＵ１５２；単価情報記憶処理）に記憶されている遊技媒体の単価（玉単価）および消費税率を特定可能な情報とに基づいて、前記繰上げ玉数に前記税込み貸与単価を乗じた金額との差額による遊技場の負担額と、前記切捨て玉数に前記税込み貸与単価を乗じた金額との差額による遊技者の負担額とを個別に集計する。
【０２２８】
本発明の請求項９は、前記遊技用装置（カードユニット３、現金ユニット３５０）は、前記貸与処理において貸与した貸出遊技媒体数を計数するための計数手段（制御ユニット３２８、３８０；払出玉数計数処理）と、貸与処理中における不具合の発生を検出する検出手段（制御ユニット３２８，３８０；；不具合検出処理）と、該検出手段により不具合の発生が検出されたときに前記計数手段により計数した貸与した貸出遊技媒体数と当該貸与処理において貸与されるべき貸出遊技媒体数（貸出玉数）とから未貸与の遊技媒体数を特定し、該特定した未貸与の遊技媒体数を特定可能な未貸与数情報（貸出不全情報）を前記管理装置（システムコントローラ１００、ホールコンピュータ１５０）に送信する未貸与数情報送信手段（制御ユニット３２８、３８０；貸出不全情報送信処理）と、他の遊技用装置と交換されたことに基づいて交換された旨を含む交換情報を前記管理装置に送信する交換情報送信手段（制御ユニット３２８、３８０；交換情報送信処理）と、を備え、前記管理装置は、前記交換情報の受信に基づいて、交換前の遊技用装置の前記未貸与数情報送信手段から送信された未貸与数情報から特定される未貸与の遊技媒体数を特定可能な情報（未払出玉数）を含み、該未貸与の遊技媒体の貸与を指示する貸与指示（払出指示）を、該交換情報を送信してきた交換後の遊技用装置に対して送信し、交換後の遊技用装置の前記貸与処理手段（制御ユニット３２８，３８０；貸与処理）は、該受信した貸与指示の受信に応じて該貸与指示に含まれる情報から特定される数（未払出玉数）の未貸与の遊技媒体を貸与するための未貸与分貸与処理（制御ユニット３２８；未貸与分貸与処理）を実施する。
本発明の請求項１０は、前記算出手段にて算出された各貸出遊技媒体数について、負担額並びに負担者を各単位遊技用価値の大きさ毎または各識別金額毎に表示する表示手段を備える。
【図面の簡単な説明】
【０２２９】
【図１】本発明の実施例１の遊技用システムの構成を示すシステム図である。
【図２】本発明の実施例１に用いたカードユニットとパチンコ機とを示す正面図である。
【図３】本発明の実施例１に用いたカードユニットの構成を示すブロック図である。
【図４】本発明の実施例１に用いたシステムコントローラの構成を示す図である。
【図５】本発明の実施例１に用いたシステムコントローラにおける貸出玉数設定画面を示す図である。
【図６】（ａ）は、本発明の実施例１に用いた単位度数テーブルを示す図であり、（ｂ）は、本発明の実施例１に用いたカードマスターテーブルを示す図であり、（ｃ）は、本発明の実施例１に用いたカードユニット別データテーブルを示す図である。
【図７】本発明の実施例１に用いたカードユニットにおける単位度数設定の設定状況を示す図である。
【図８】本発明の実施例１に用いたカードユニットの度数、未払出玉数表示部における残存度数と未払出玉数の表示状況を示す図である。
【図９】本発明の実施例１の遊技用システムにおける処理状況を示す図である。
【図１０】本発明の実施例１の遊技用システムにおける処理状況を示す図である。
【図１１】本発明の実施例２に用いたシステムコントローラにおける貸出玉数設定画面を示す図である。
【図１２】（ａ）は、本発明の実施例２に用いた単位度数テーブルを示す図である。
【図１３】本発明の実施例２の遊技用システムにおける処理状況を示す図である。
【図１４】本発明の実施例３の遊技用システムの構成を示すシステム図である。
【図１５】本発明の実施例３に用いた現金ユニットとパチンコ機とを示す正面図である。
【図１６】本発明の実施例３に用いた現金ユニットの構成を示すブロック図である。
【図１７】本発明の実施例３に用いたホールコンピュータの構成を示す図である。
【図１８】本発明の実施例３に用いたホールコンピュータにおける貸出玉数設定画面を示す図である。
【図１９】（ａ）は、本発明の実施例３に用いた貸出玉数テーブルを示す図であり、（ｂ）は、本発明の実施例３に用いたユニット別データテーブルを示す図である。
【図２０】本発明の実施例３に用いた現金ユニットの金額、未払出玉数表示部における識別金額と未払出玉数の表示状況を示す図である。
【図２１】本発明の実施例３の遊技用システムにおける処理状況を示す図である。
【図２２】本発明の実施例３の遊技用システムにおける処理状況を示す図である。
【図２３】本発明の実施例４に用いたホールコンピュータにおける貸出玉数設定画面を示す図である。
【図２４】（ａ）は、本発明の実施例４に用いた貸出玉数テーブルを示す図である。
【図２５】本発明の実施例４の遊技用システムにおける処理状況を示す図である。
【図２６】その他の貸出玉数の設定形態を示す図である。
【符号の説明】
【０２３０】
３        カードユニット
１００    システムコントローラ
１１３    ＣＰＵ
１５０    ホールコンピュータ
１５２    ＣＰＵ
３２７    カードリーダライタ
３２８    制御ユニット
３３４    通信部
３５０    現金ユニット
３７１    紙幣識別ユニット
３７２    硬貨識別ユニット
３７４    通信部
３８０    制御ユニット
【図１】
0004636588.tif 000002
【図２】
0004636588.tif 000003
【図３】
0004636588.tif 000004
【図４】
0004636588.tif 000005
【図５】
0004636588.tif 000006
【図６】
0004636588.tif 000007
【図７】
0004636588.tif 000008
【図８】
0004636588.tif 000009
【図９】
0004636588.tif 000010
【図１０】
0004636588.tif 000011
【図１１】
0004636588.tif 000012
【図１２】
0004636588.tif 000013
【図１３】
0004636588.tif 000014
【図１４】
0004636588.tif 000015
【図１５】
0004636588.tif 000016
【図１６】
0004636588.tif 000017
【図１７】
0004636588.tif 000018
【図１８】
0004636588.tif 000019
【図１９】
0004636588.tif 000020
【図２０】
0004636588.tif 000021
【図２１】
0004636588.tif 000022
【図２２】
0004636588.tif 000023
【図２３】
0004636588.tif 000024
【図２４】
0004636588.tif 000025
【図２５】
0004636588.tif 000026
【図２６】
0004636588.tif 000027